(57)【要約】  組織部位との流体連通をもたらすアダプターが、ベース、導管ハウジング、主ポート、少なくとも１つの付属ポート、および少なくとも１つのポート延長部を含み得る。ベースは、第１の平面的な側面と、第１の平面的な側面に対向する第２の平面的な側面とを有する設置平面を規定し得る。導管ハウジングは、ベースによって支持され、かつ入口面を規定する陥凹領域を含み得る。導管ハウジングおよび陥凹領域は、入口面が第１の平面的な側面に対面する状態で、第１の平面的な側面上に位置決めされ得る。主ポートは入口面上にあり、および少なくとも１つの付属ポートは入口面上にあり得る。ポート延長部の遠位端部は、付属ポートと流体連通して第２の平面的な側面上に位置決めされ得る。他の装置、システム、および方法が開示される。【選択図】図１１
2018519943.tif 000002
【特許請求の範囲】
【請求項１】
組織部位において分配マニホールドとの流体連通をもたらすためのアダプターにおいて、
設置平面を規定するベースであって、前記設置平面は、第１の平面的な側面と、前記第１の平面的な側面に対向する第２の平面的な側面とを有し、前記ベースは、前記第１の平面的な側面と同一平面上にありかつ前記第１の平面的な側面に対面する設置面を含む、ベースと；
前記ベースによって支持され、かつ入口面を規定する陥凹領域を含む導管ハウジングであって、前記導管ハウジングおよび前記陥凹領域は、前記入口面が前記第１の平面的な側面に対面する状態で、前記第１の平面的な側面に位置決めされる、導管ハウジングと；
前記入口面にある主ポートと；
前記入口面にある少なくとも１つの付属ポートと；
近位端部、遠位端部、および前記近位端部と前記遠位端部との間のボアを含む、少なくとも１つのポート延長部であって、前記ポート延長部の前記遠位端部は、前記ボアを通して前記付属ポートと流体連通して前記第２の平面的な側面に位置決めされている、少なくとも１つのポート延長部と
を含むことを特徴とする、アダプター。
【請求項２】
請求項１に記載のアダプターにおいて、前記ベースが、前記導管ハウジングに取り付けられ、かつ前記陥凹領域の周りに位置決めされていることを特徴とする、アダプター。
【請求項３】
請求項１に記載のアダプターにおいて、前記ベースが前記陥凹領域を取り囲んでいることを特徴とする、アダプター。
【請求項４】
請求項１に記載のアダプターにおいて、前記入口面が、前記設置平面の前記第１の平面的な側面から離間していることを特徴とする、アダプター。
【請求項５】
請求項１に記載のアダプターにおいて、前記主ポートが前記陥凹領域の頂点に位置決めされていることを特徴とする、アダプター。
【請求項６】
請求項５に記載のアダプターにおいて、前記陥凹領域の前記頂点が、前記設置平面の前記第１の平面的な側面から離間していることを特徴とする、アダプター。
【請求項７】
請求項１に記載のアダプターにおいて、前記付属ポートが、前記主ポートよりも前記設置平面の前記第１の平面的な側面の近くに位置決めされるように、前記主ポートが前記付属ポートから離間されていることを特徴とする、アダプター。
【請求項８】
請求項１に記載のアダプターにおいて、前記ポート延長部が、前記設置平面を貫いて前記設置面を越えて前記第２の平面的な側面まで延在し、前記設置面および前記第２の平面的な側面は、前記分配マニホールドに対面するように構成されていることを特徴とする、アダプター。
【請求項９】
請求項１に記載のアダプターにおいて、前記ポート延長部の前記遠位端部が、前記第２の平面的な側面上で前記設置平面から離間されていることを特徴とする、アダプター。
【請求項１０】
請求項１に記載のアダプターにおいて、前記ポート延長部の前記近位端部が、前記付属ポートと流体連通して、前記設置平面の前記第１の平面的な側面上に位置決めされ、前記ポート延長部の前記遠位端部は、前記設置平面を貫いて前記第２の平面的な側面まで延在していることを特徴とする、アダプター。
【請求項１１】
請求項１に記載のアダプターにおいて、前記ポート延長部は縦方向に潰れることができることを特徴とする、アダプター。
【請求項１２】
請求項１に記載のアダプターにおいて、前記ポート延長部の前記近位端部が、前記付属ポートの周りで前記入口面に結合されることを特徴とする、アダプター。
【請求項１３】
請求項１に記載のアダプターにおいて、前記ポート延長部の前記ボアは、前記付属ポートと前記ポート延長部の前記遠位端部との間に、隔離された連通路を画成することを特徴とする、アダプター。
【請求項１４】
請求項１に記載のアダプターにおいて、前記ポート延長部の前記遠位端部が複数のキャスタレーションを担持し、前記キャスタレーションは、前記遠位端部から外向きに延在する突起を含むことを特徴とする、アダプター。
【請求項１５】
請求項１４に記載のアダプターにおいて、前記キャスタレーションが、前記ポート延長部の前記遠位端部の周囲に配置されることを特徴とする、アダプター。
【請求項１６】
請求項１４に記載のアダプターにおいて、前記キャスタレーションが潰れることができることを特徴とする、アダプター。
【請求項１７】
請求項１４に記載のアダプターにおいて、前記キャスタレーションが、前記ポート延長部の前記遠位端部の周りで互いに離間されていることを特徴とする、アダプター。
【請求項１８】
請求項１４に記載のアダプターにおいて、さらに、前記キャスタレーションのそれぞれの間に画成されかつ前記ボアと流体連通する開口部を含むことを特徴とする、アダプター。
【請求項１９】
請求項１に記載のアダプターにおいて、前記少なくとも１つの付属ポートが、第１の付属ポートおよび第２の付属ポートを含み、前記ポート延長部は、前記第１の付属ポートの周りで前記入口面に結合され、かつ前記入口面から外向きにおよび前記ベースの前記設置面を越えて延在し、前記第２の付属ポートは、前記入口面において終端することを特徴とする、アダプター。
【請求項２０】
請求項１に記載のアダプターにおいて、前記少なくとも１つの付属ポートが、第１の付属ポートおよび第２の付属ポートを含み、および前記少なくとも１つのポート延長部が、第１のポート延長部および第２のポート延長部を含み、前記第１のポート延長部は前記第１の付属ポートの周りに結合され、および前記第２のポート延長部は前記第２の付属ポートの周りに結合されることを特徴とする、アダプター。
【請求項２１】
請求項１に記載のアダプターにおいて、さらに、前記入口面に位置決めされたチャンネルを含み、液体を、前記付属ポートから離れて前記主ポート内へと方向付けることを特徴とする、アダプター。
【請求項２２】
請求項２１に記載のアダプターにおいて、前記チャンネルが：
前記入口面の約半分に沿っている線形チャンネルセクションと；
前記入口面の約３分の１に沿っている半径方向チャンネルセクションと
を含むことを特徴とする、アダプター。
【請求項２３】
請求項１に記載のアダプターにおいて、さらに、前記ベース上に位置決めされた半径方向チャンネルを含み、前記ベースの周辺からの液体を、前記付属ポートから離れるように方向付けることを特徴とする、アダプター。
【請求項２４】
請求項２３に記載のアダプターにおいて、さらに、前記ベース上に位置決めされた中間収集チャンネルを含み、液体を前記半径方向チャンネル内へと方向付けることを特徴とする、アダプター。
【請求項２５】
組織部位を治療するためのシステムにおいて、
前記組織部位に対面するように適合された組織対面側面、および前記組織対面側面に対向する外側対面側面を含む分配マニホールドと；
前記分配マニホールドとの流体連通をもたらすためのアダプターであって：
前記分配マニホールド上に位置決めされるように適合された設置面を含むベース、
前記ベースによって支持され、かつ入口面を画成する陥凹領域を含む導管ハウジングであって、前記入口面は、前記分配マニホールドに対面して位置決めされるように適合されている、導管ハウジング、
前記入口面にある主ポート、
前記入口面にある少なくとも１つの付属ポート、および
近位端部、遠位端部、および前記近位端部と前記遠位端部との間のボアを含む、少なくとも１つのポート延長部であって、前記ポート延長部の前記遠位端部は、前記設置面が前記分配マニホールド上に位置決めされるとき、前記分配マニホールド内へと延在するように適合され、前記ポート延長部の前記遠位端部は、前記ボアを通して前記付属ポートと流体連通している、少なくとも１つのポート延長部
を含む、アダプターと；
前記導管ハウジングを通して、前記主ポートと流体連通して位置決めされるように適合された減圧源と
を含むことを特徴とする、システム。
【請求項２６】
請求項２５に記載のシステムにおいて、前記分配マニホールドの前記組織対面側面が、前記組織部位と接触するように適合されていることを特徴とする、システム。
【請求項２７】
請求項２５に記載のシステムにおいて、さらに、前記組織部位において、前記分配マニホールドの前記外側対面側面を被覆するように適合されたドレープを含むことを特徴とする、システム。
【請求項２８】
請求項２５に記載のシステムにおいて、前記ポート延長部が、前記分配マニホールドの前記外側対面側面と前記組織対面側面との間に延在するように適合された長さを含むことを特徴とする、システム。
【請求項２９】
請求項２５に記載のシステムにおいて、前記ポート延長部の前記近位端部が、前記分配マニホールドの前記外側対面側面に位置決めされるように適合され、および前記ポート延長部の前記遠位端部が、前記分配マニホールドの前記組織対面側面に位置決めされるように適合されていることを特徴とする、システム。
【請求項３０】
請求項２５に記載のシステムにおいて、前記ポート延長部の前記遠位端部が、前記組織部位と接触するように適合されていることを特徴とする、システム。
【請求項３１】
請求項２５に記載のシステムにおいて、前記ポート延長部の前記遠位端部が複数のキャスタレーションを担持し、前記キャスタレーションは、互いに離間され、かつ前記ポート延長部の前記遠位端部から外向きに延在していることを特徴とする、システム。
【請求項３２】
請求項２５に記載のシステムにおいて、さらに、前記導管ハウジングを通して前記付属ポートと流体連通して位置決めされるように適合された圧力センサーを含むことを特徴とする、システム。
【請求項３３】
請求項２５に記載のシステムにおいて、さらに、液体を保持しかつ前記導管ハウジングを通して前記付属ポートと流体連通して位置決めされるように適合された点滴注入リザーバを含むことを特徴とする、システム。
【請求項３４】
請求項２５に記載のシステムにおいて、前記少なくとも１つの付属ポートは、第１の付属ポートおよび第２の付属ポートを含み、前記ポート延長部の前記近位端部は、前記第１の付属ポートの周りで前記入口面に結合され、前記ポート延長部の前記遠位端部は、前記入口面から外向きにおよび前記ベースの前記設置面を越えて延在し、前記第２の付属ポートは前記入口面において終端し、前記システムは、さらに：
前記導管ハウジングを通して前記第１の付属ポートと流体連通する第１の圧力センサーと；
前記導管ハウジングを通して前記第２の付属ポートと流体連通する第２の圧力センサーと
を含むことを特徴とする、システム。
【請求項３５】
請求項２５に記載のシステムにおいて、前記少なくとも１つの付属ポートが、第１の付属ポートおよび第２の付属ポートを含み、および前記少なくとも１つのポート延長部が、第１のポート延長部および第２のポート延長部を含み、前記第１のポート延長部の前記近位端部は、前記第１の付属ポートの周りに結合され、および前記第２のポート延長部の前記近位端部は、前記第２の付属ポートの周りに結合されることを特徴とする、システム。
【請求項３６】
請求項３５に記載のシステムにおいて、さらに、第１の圧力センサーおよび第２の圧力センサーを含み、前記第１の圧力センサーは前記第１の付属ポートと流体連通し、前記第２の圧力センサーは前記第２の付属ポートと流体連通していることを特徴とする、システム。
【請求項３７】
請求項３５に記載のシステムにおいて、さらに、圧力センサーおよび点滴注入リザーバを含み、前記圧力センサーは、前記導管ハウジングを通して前記第１の付属ポートと流体連通し、前記点滴注入リザーバは、前記導管ハウジングを通して前記第２の付属ポートと流体連通していることを特徴とする、システム。
【請求項３８】
請求項２５に記載のシステムにおいて、前記導管ハウジングは、さらに、主導管および少なくとも１つの付属導管を含み、前記主導管は、前記導管ハウジングを通して前記主ポートと流体連通して配置され、前記付属導管は、前記導管ハウジングを通して前記付属ポートと流体連通して配置されていることを特徴とする、システム。
【請求項３９】
請求項３８に記載のシステムにおいて、さらに：
前記減圧源と前記主導管との間で流体連通するように適合された主ルーメンと；
前記付属導管と流体連通するように適合された少なくとも１つの付属ルーメンと
を含むことを特徴とする、システム。
【請求項４０】
請求項２５に記載のシステムにおいて、さらに：
前記減圧源と前記主ポートとの間で流体連通するように適合された主ルーメンと；
前記付属ポートと流体連通するように適合された少なくとも１つの付属ルーメンと
を含むことを特徴とする、システム。
【請求項４１】
請求項４０に記載のシステムにおいて、前記少なくとも１つの付属ポートが、第１の付属ポートおよび第２の付属ポートを含み、および前記少なくとも１つの付属ルーメンは、第１の対の付属ルーメンおよび第２の対の付属ルーメンを含み、前記第１の対の付属ルーメンは、前記第１の付属ポートと流体連通するように適合され、前記第２の対の付属ルーメンは、第２の付属ポートと流体連通するように適合されていることを特徴とする、システム。
【請求項４２】
請求項４１に記載のシステムにおいて、前記主ルーメン、前記第１の対の付属ルーメン、および前記第２の対の付属ルーメンは、マルチルーメンチューブの一部を形成することを特徴とする、システム。
【請求項４３】
請求項４２に記載のシステムにおいて、さらに、第１の付属通路、第２の付属通路、および主通路を含む分割コネクタを含み、前記第１の付属通路は、前記第１の対の付属ルーメンと流体連通するように適合され、前記第２の付属通路は、前記第２の対の付属ルーメンと流体連通するように適合され、および前記主通路は、前記主ルーメンと流体連通するように適合されていることを特徴とする、システム。
【請求項４４】
請求項２５に記載のシステムにおいて、前記少なくとも１つの付属ポートが、第１の付属ポートおよび第２の付属ポートを含み、前記システムは、さらに：
前記導管ハウジングを通して前記第１の付属ポートと流体連通する第１の圧力センサーと；
前記導管ハウジングを通して前記第２の付属ポートと流体連通する第２の圧力センサーと；
前記第１の圧力センサー、前記第２の圧力センサー、および前記減圧源から圧力データを受信するように構成されたコントローラであって、さらに、前記圧力データに従って前記主ポートに減圧を供給するように前記減圧源を動作するように構成されている、コントローラと
を含むことを特徴とする、システム。
【請求項４５】
請求項２５に記載のシステムにおいて、前記少なくとも１つの付属ポートが、第１の付属ポートおよび第２の付属ポートを含み、前記システムは、さらに：
前記導管ハウジングを通して前記第１の付属ポートと流体連通する圧力センサーと；
前記導管ハウジングを通して前記第２の付属ポートと流体連通する点滴注入リザーバと；
前記圧力センサーおよび前記減圧源から圧力データを受信するように構成されたコントローラであって、さらに、前記点滴注入リザーバから前記第２の付属ポートへの流体の流れを制御し、かつ前記圧力データに従って前記主ポートに減圧を供給するように前記減圧源を動作するように構成されているコントローラと
を含むことを特徴とする、システム。
【請求項４６】
組織部位の治療方法において：
前記組織部位の表面上に前記分配マニホールドを位置決めすることであって、前記分配マニホールドは、前記組織部位に対面する組織対面側面、および前記組織対面側面に対向する外側対面側面を含むことと；
前記分配マニホールド上にアダプターを位置決めすることであって、前記アダプターは：
入口面を画成する陥凹領域を含む導管ハウジングであって、前記入口面は、前記分配マニホールドの前記外側対面側面に対面している、導管ハウジング
前記入口面にある主ポート、
前記入口面にある第１の付属ポートおよび第２の付属ポート、および
近位端部、遠位端部、および前記近位端部と前記遠位端部との間のボアを含む、ポート延長部であって、前記ポート延長部の前記遠位端部は、前記第１の付属ポートと流体連通している、ポート延長部
を含むことと；
前記ポート延長部の前記遠位端部を前記分配マニホールド内へと挿入することと；
前記主ポートを通して前記分配マニホールドに減圧を適用することと；
前記第１の付属ポート、および前記ポート延長部の前記遠位端部を通して、前記組織部位の前記表面と前記分配マニホールドの前記組織対面側面との間の第１の圧力を測定することと；
前記第２の付属ポートを通して、前記分配マニホールドの前記外側対面側面における第２の圧力を測定することと；
差圧を提供するために、前記第１の圧力と前記第２の圧力との差を計算することと
含むことを特徴とする、方法。
【請求項４７】
請求項４６に記載の方法において、さらに、前記差圧が１５ｍｍ  Ｈｇを上回る場合には、前記分配マニホールドを変更することを含むことを特徴とする、方法。
【請求項４８】
請求項４６に記載の方法において、前記ポート延長部の前記遠位端部が、前記分配マニホールドの前記組織対面側面に向かって、前記入口面から外向きに延在し、および前記第２の付属ポートが、前記分配マニホールドの前記外側対面側面において前記入口面で終端することを特徴とする、方法。
【請求項４９】
請求項４６に記載の方法において、減圧を適用することが、前記分配マニホールドの前記外側対面側面に減圧を適用することを含むことを特徴とする、方法。
【請求項５０】
請求項４６に記載の方法において、前記ボアが、前記ポート延長部の前記遠位端部と前記第１の付属ポートとの間に、隔離された連通路を画成することを特徴とする、方法。
【請求項５１】
請求項４６に記載の方法において、前記分配マニホールドに減圧を適用することによって、前記分配マニホールドの前記外側対面側面を前記組織部位の前記表面の近くに動かして、前記ポート延長部の前記遠位端部が前記組織部位の前記表面に接触するようにすることを特徴とする、方法。
【請求項５２】
請求項４６に記載の方法において、さらに、前記分配マニホールドの前記外側対面側面をドレープで被覆して、前記ドレープと前記組織部位との間に密閉空間をもたらすことであって、前記分配マニホールドは、前記密閉空間内に位置決めされることを含むことを特徴とする、方法。
【請求項５３】
組織部位の治療方法において：
前記組織部位に対面する組織対面側面、および前記組織対面側面に対向する外側対面側面を含む分配マニホールドを提供することと；
前記分配マニホールドの前記外側対面側面に減圧を適用することと；
前記分配マニホールドの前記組織対面側面において第１の圧力を測定することと；
前記分配マニホールドの前記外側対面側面において第２の圧力を測定することと；
差圧を提供するために、前記第１の圧力と前記第２の圧力との差を計算することと
を含むことを特徴とする、方法。
【請求項５４】
請求項５３に記載の方法において、さらに、前記差圧が１５ｍｍ  Ｈｇを上回る場合には、前記分配マニホールドを変更することを含むことを特徴とする、方法。
【請求項５５】
請求項５３に記載の方法において、さらに、前記分配マニホールドの前記外側対面側面をドレープで被覆して、前記ドレープと前記組織部位との間に密閉空間をもたらすことであって、前記分配マニホールドは、前記密閉空間に位置決めされることを含むことを特徴とする、方法。
【請求項５６】
組織部位における圧力を測定しかつ制御する方法において：
前記組織部位の表面に隣接して分配マニホールドを位置決めすることであって、前記分配マニホールドは、前記組織部位に対面する組織対面側面、および前記組織対面側面に対向する外側対面側面を含むことと；
前記分配マニホールドに隣接してアダプターを位置決めすることであって、前記アダプターは：
入口面を画成する陥凹領域を含む導管ハウジングであって、前記入口面は、前記分配マニホールドの前記外側対面側面に対面している、導管ハウジング、
前記入口面にある主ポート、
前記入口面にある第１の付属ポートおよび第２の付属ポート、および
近位端部、遠位端部、および前記近位端部と前記遠位端部との間のボアをそれぞれ含む、第１のポート延長部および第２のポート延長部であって、前記第１のポート延長部の前記遠位端部は前記第１の付属ポートと流体連通し、前記第２のポート延長部の前記遠位端部は前記第２の付属ポートと流体連通している、第１のポート延長部および第２のポート延長部
を含むことと；
前記第１のポート延長部の前記遠位端部および前記第２のポート延長部の前記遠位端部を前記分配マニホールド内へと挿入することと；
減圧源から前記主ポートを通して前記分配マニホールドに減圧を適用することと；
前記第１のポート延長部を通して、前記分配マニホールドの前記組織対面側面と前記組織部位の前記表面との間の第１の圧力を測定することと；
前記第２のポート延長部を通して、前記分配マニホールドの前記組織対面側面と前記組織部位の前記表面との間の第２の圧力を測定することと；
前記第１の圧力および前記第２の圧力に従って、前記減圧源からの前記減圧を制御することと
を含むことを特徴とする、方法。
【請求項５７】
組織部位における圧力を測定しかつ制御する方法において：
前記組織部位の表面に隣接して分配マニホールドを位置決めすることであって、前記分配マニホールドは、前記組織部位に対面する組織対面側面、および前記組織対面側面に対向する外側対面側面を含むことと；
減圧源から前記分配マニホールドへ減圧を適用することと；
前記組織部位の前記表面と前記分配マニホールドの前記組織対面側面との間の第１の圧力を測定することと；
前記組織部位の前記表面と前記分配マニホールドの前記組織対面側面との間の第２の圧力を測定することと；
前記第１の圧力および前記第２の圧力に従って、前記減圧源からの前記減圧を制御することと
を含むことを特徴とする、方法。
【請求項５８】
請求項５７に記載の方法において、減圧を適用することが、前記分配マニホールドの前記外側対面側面に減圧を適用することを含むことを特徴とする、方法。
【請求項５９】
請求項５７に記載の方法において、さらに：
前記第１の圧力が、前記減圧源における前記減圧の変化に応答する、第１の期間を決定することと；
前記第２の圧力が、前記減圧源における減圧の前記変化に応答する、第２の期間を決定することと；
前記第１の期間が前記第２の期間よりも短い場合には、前記第１の期間に従って前記減圧を制御することと；
前記第２の期間が前記第１の期間よりも短い場合には、前記第２の期間に従って前記減圧を制御することと
を含むことを特徴とする、方法。
【請求項６０】
組織部位において流体を点滴注入する方法において：
前記組織部位の表面に隣接して分配マニホールドを位置決めすることであって、前記分配マニホールドは、前記組織部位に対面する組織対面側面、および前記組織対面側面に対向する外側対面側面を含むことと；
前記分配マニホールドに隣接してアダプターを位置決めすることであって、前記アダプターは：
入口面を画成する陥凹領域を含む導管ハウジングであって、前記入口面は、前記分配マニホールドの前記外側対面側面に対面している、導管ハウジング、
前記入口面にある主ポート、
前記入口面にある少なくとも１つの付属ポート、および
近位端部、遠位端部、および前記近位端部と前記遠位端部との間のボアを含む、少なくとも１つのポート延長部であって、前記ポート延長部の前記遠位端部は、前記ボアを通して前記付属ポートと流体連通している、少なくとも１つのポート延長部
を含むことと；
前記ポート延長部の前記遠位端部を前記分配マニホールド内へと挿入するステッと；
前記付属ポート、および前記ポート延長部の前記遠位端部を通して、前記組織部位の前記表面に流体を送給することと
を含むことを特徴とする、方法。
【請求項６１】
請求項６０に記載の方法において、さらに、前記主ポートを通して前記分配マニホールドの前記外側対面側面に減圧を送給することを含むことを特徴とする、方法。
【請求項６２】
請求項６１に記載の方法において、さらに、前記組織部位の前記表面と前記分配マニホールドの前記組織対面側面との間の圧力を測定することと、前記圧力に従って減圧の前記送給を制御することとを含むことを特徴とする、方法。
【請求項６３】
組織部位において流体を点滴注入する方法において：
前記組織部位の表面に隣接して分配マニホールドを位置決めすることであって、前記分配マニホールドは、前記組織部位に対面する組織対面側面、および前記組織対面側面に対向する外側対面側面を含むことと；
前記組織部位の前記表面と前記分配マニホールドの前記組織対面側面との間に直接流体を送給することと
を含むことを特徴とする、方法。
【請求項６４】
請求項６３に記載の方法において、さらに、前記分配マニホールドの前記外側対面側面に減圧を送給することを含むことを特徴とする、方法。
【請求項６５】
請求項６４に記載の方法において、さらに、前記組織部位の前記表面と前記分配マニホールドの前記組織対面側面との間の圧力を測定することと、前記圧力に従って減圧の前記送給を制御することとを含むことを特徴とする、方法。
【請求項６６】
組織部位において分配マニホールドとの流体連通をもたらすためのアダプターにおいて、
設置面を含むベースと；
前記ベースによって支持され、かつ前記設置面のインバウンドに延在する開口部を含むハウジングと；
前記開口部内にある主ポートと；
前記開口部内にある少なくとも１つの付属ポートと；
前記設置面のアウトバウンドに前記少なくとも１つの付属ポートから延在する少なくとも１つの付属流体経路と
を含むことを特徴とする、アダプター。
【請求項６７】
請求項６６に記載のアダプターにおいて、前記少なくとも１つの付属流体経路が、前記設置面を越えて延在することを特徴とする、アダプター。
【請求項６８】
請求項６６に記載のアダプターにおいて、前記主ポートおよび前記少なくとも１つの付属ポートが、前記設置面のインバウンドにおよび前記開口部の内部表面上に位置決めされていることを特徴とする、アダプター。
【請求項６９】
請求項６６に記載のアダプターにおいて、前記少なくとも１つの付属ポートが、前記主ポートよりも前記設置面の近くに位置決めされるように、前記主ポートが前記少なくとも１つの付属ポートから離間されていることを特徴とする、アダプター。
【請求項７０】
請求項６６に記載のアダプターにおいて、前記少なくとも１つの付属流体経路が、近位端部および遠位端部を有し、前記近位端部は前記設置面のインバウンドに位置決めされ、および前記遠位端部は前記設置面のアウトバウンドに位置決めされていることを特徴とする、アダプター。
【請求項７１】
請求項６６に記載のアダプターにおいて、前記開口部が、前記設置面のインバウンドに頂点を有し、および前記主ポートは前記頂点に位置決めされていることを特徴とする、アダプター。
【請求項７２】
請求項６６に記載のアダプターにおいて、前記少なくとも１つの付属流体経路が、近位端部、遠位端部、および前記近位端部と前記遠位端部との間のボアを含む、補助チューブを含み、前記補助チューブの前記遠位端部は、前記設置面のアウトバウンドにおよび前記ボアを通して前記付属ポートと流体連通して位置決めされていることを特徴とする、アダプター。
【請求項７３】
組織部位の治療方法において：
前記組織部位の表面上に分配マニホールドを位置決めすることであって、前記分配マニホールドは、前記組織部位に対面する組織対面側面、および前記組織対面側面に対向する外側対面側面を含むことと；
アダプターを提供することであって、このアダプターは：
入口面を画成する陥凹領域を含む導管ハウジング、
前記入口面にある主ポート、
前記入口面にある付属ポート、および
前記導管ハウジングを通りかつ前記導管ハウジングから外向きに延在する付属流体経路
を含むことと；
前記分配マニホールド上に前記アダプターを位置決めして、前記付属ポートが、前記分配マニホールドの前記外側対面側面上に位置決めされ、かつ前記付属流体経路が前記分配マニホールド内に延在するようにすることと
を含むことを特徴とする、方法。
【請求項７４】
請求項７３に記載の方法において、前記アダプターが前記分配マニホールド上に位置決めされるとき、前記入口面が、前記分配マニホールドの前記外側対面側面に対面していることを特徴とする、方法。
【請求項７５】
請求項７３に記載の方法において、さらに：
前記主ポートを通して前記分配マニホールドに減圧を適用することと；
前記付属流体経路を通して第１の圧力を測定することと；
前記付属ポートを通して第２の圧力を測定することと；
差圧を提供するために、前記第１の圧力と前記第２の圧力との差を計算することと
を含むことを特徴とする、方法。
【請求項７６】
請求項７５に記載の方法において、前記第１の圧力が、前記組織部位の前記表面と前記分配マニホールドの前記組織対面側面との間で測定されることを特徴とする、方法。
【請求項７７】
請求項７５に記載の方法において、前記第２の圧力が、前記分配マニホールドの前記外側対面側面において測定されることを特徴とする、方法。
【請求項７８】
請求項７５に記載の方法において、さらに、前記差圧が１５ｍｍ  Ｈｇを上回る場合には、前記分配マニホールドを変更することを含むことを特徴とする、方法。
【請求項７９】
実質的に本明細書で説明するようなシステム、装置、および方法。
【発明の詳細な説明】
【技術分野】
【０００１】
関連出願の相互参照
本出願は、３５  ＵＳＣ  １１９（ｅ）下において、２０１５年７月１４日出願の米国仮特許出願第６２／１９２，４２５号明細書（「Ｍｅｄｉｃａｌ  Ｄｒｅｓｓｉｎｇ  Ｉｎｔｅｒｆａｃｅ  Ｄｅｖｉｃｅｓ，Ｓｙｓｔｅｍｓ，Ａｎｄ  Ｍｅｔｈｏｄｓ」の利益を主張し、その開示を本願明細書に援用する。
【０００２】
本開示は、概して、組織治療システムに関し、より詳細には、限定されるものではないが、減圧療法および点滴注入療法と一緒に使用するのに好適とし得る医療用ドレッシングインターフェース装置、システム、および方法に関する。
【背景技術】
【０００３】
臨床試験および診療から、組織部位に近接して減圧をもたらすことによって、組織部位における新しい組織の成長を増強および加速し得ることが示されている。この現象の適用例は多数あるが、創傷の治療において特に有益であることが分かっている。外傷、手術、または別の原因であるかなどの創傷の病因に関わらず、創傷を適切にケアすることが、結果に関して重要である。減圧による創傷または他の組織の治療は、一般に「減圧療法」と称し得る。しかしながら、そのような治療はまた、例えば「陰圧療法」、「陰圧閉鎖療法」、「真空療法」、「真空支援閉鎖（ｖａｃｕｕｍ−ａｓｓｉｓｔｅｄ  ｃｌｏｓｕｒｅ）」、および「局所陰圧」を含む他の名称によっても知られている。減圧療法はいくつもの利点を提供し、それら利点には、上皮組織および皮下組織の移動、血流の改善、および組織部位における組織の微小変形が含まれ得る。同時に、これらの利点には、肉芽組織の発生を増やし、および治癒にかかる時間を短縮することが含まれ得る。
【０００４】
組織部位の洗浄（ｃｌｅａｎｓｉｎｇ）も、新しい組織の増殖にとって非常に有益とし得る。例えば、組織部位は、溶液（ｌｉｑｕｉｄ  ｓｏｌｕｔｉｏｎ）の流れで洗われ得るか、または治療を目的として、腔が、溶液を使用して洗われ得る。さらに、流体が組織部位に導入され、かつ、指示された期間だけ組織部位に留まらせた後で、流体は除去され得る。これらの実践は、「灌注」、「洗浄（ｌａｖａｇｅ）」、および「点滴注入」と称し得る。創傷床または他の組織部位上への局所治療用溶液の点滴注入は、減圧療法と組み合わせられ、可溶性汚染物質を緩めて感染性物質を除去することによって、治癒および組織増殖をさらに促し得る。その結果、可溶性細菌負荷が減少し、汚染物質が除去され、および組織部位が洗浄され得る。
【０００５】
コストおよび複雑さが、減圧療法および点滴注入療法システムの適用を制限し得る。治療システム、構成要素、およびプロセスの開発および運用は、製造業者、ヘルスケア提供者、および患者に利益をもたらす。
【発明の概要】
【０００６】
減圧療法および点滴注入療法と一緒に使用するのに好適とし得る新規のおよび有用な装置、システム、および方法が、添付の特許請求の範囲において説明される。例えば、いくつかの説明に役立つ実施形態では、組織部位において分配マニホールドとの流体連通をもたらすためのアダプターは、ベース、導管ハウジング、主ポート、少なくとも１つの付属ポート、および少なくとも１つのポート延長部を含み得る。ベースは、第１の平面的な側面と、第１の平面的な側面に対向する第２の平面的な側面とを有する設置平面を規定し得る。さらに、ベースは、第１の平面的な側面と同一平面上にありかつ第１の平面的な側面に対面する設置面を含み得る。導管ハウジングは、ベースによって支持され、かつ入口面を規定する陥凹領域を含み得る。導管ハウジングおよび陥凹領域は、入口面が第１の平面的な側面に対面する状態で、第１の平面的な側面上に位置決めされ得る。主ポートは入口面上にあり、および少なくとも１つの付属ポートは入口面上にあり得る。少なくとも１つのポート延長部は、近位端部、遠位端部、および近位端部と遠位端部との間のボアを含み得る。ポート延長部の遠位端部は、ボアを通して付属ポートと流体連通して、第２の平面的な側面上に位置決めされ得る。
【０００７】
いくつかの説明に役立つ実施形態では、組織部位を治療するためのシステムが、分配マニホールド、アダプター、および減圧源を含み得る。分配マニホールドは、組織部位に対面するように適合された組織対面側面と、組織対面側面に対向する外側対面側面とを含み得る。アダプターは、分配マニホールドとの流体連通をもたらすためのものとし得る。アダプターは、ベース、導管ハウジング、主ポート、少なくとも１つの付属ポート、および少なくとも１つのポート延長部を含み得る。ベースは、分配マニホールド上に位置決めされるように適合された設置面を含み得る。導管ハウジングは、ベースによって支持され、かつ入口面を規定する陥凹領域を含み得る。入口面は、分配マニホールドに対面して位置決めされるように適合され得る。主ポートは入口面上に位置決めされ、および少なくとも１つの付属ポートは入口面上に位置決めされ得る。少なくとも１つのポート延長部は、近位端部、遠位端部、および近位端部と遠位端部との間のボアを含み得る。ポート延長部の遠位端部は、設置面が分配マニホールド上に位置決めされるときに、分配マニホールド内に延在するように適合され得る。ポート延長部の遠位端部はまた、ボアを通して付属ポートと流体連通し得る。減圧源は、導管ハウジングを通して主ポートと流体連通して位置決めされるように適合され得る。
【０００８】
いくつかの説明に役立つ実施形態では、組織部位を治療するための分配マニホールドの耐用年数を評価する方法は、組織部位の表面上に分配マニホールドを位置決めすることを含み得る。分配マニホールドは、組織部位に対面する組織対面側面と、組織対面側面に対向する外側対面側面とを含み得る。さらに、方法は、分配マニホールド上にアダプターを位置決めすることを含み得る。アダプターは、導管ハウジング、主ポート、第１の付属ポート、第２の付属ポート、およびポート延長部を含み得る。導管ハウジングは、入口面を規定する陥凹領域を含み得る。入口面は、分配マニホールドの外側対面側面に対面し得る。主ポートは入口面上にあり得る。さらに、第１の付属ポートおよび第２の付属ポートは、入口面上にあり得る。ポート延長部は、近位端部、遠位端部、および近位端部と遠位端部との間のボアを含み得る。ポート延長部の遠位端部は、第１の付属ポートと流体連通し得る。さらに、方法は、ポート延長部の遠位端部を分配マニホールド内へと挿入することと、主ポートを通して分配マニホールドに減圧を適用することとを含み得る。さらに、方法は、第１の付属ポート、およびポート延長部の遠位端部を通して、組織部位の表面と分配マニホールドの組織対面側面との間の第１の圧力を測定することを含み得る。さらに、方法は、第２の付属ポートを通して、分配マニホールドの外側対面側面において第２の圧力を測定することを含み得る。さらに、方法は、差圧を提供するために、第１の圧力と第２の圧力との差を計算することを含み得る。
【０００９】
いくつかの説明に役立つ実施形態では、組織部位の治療方法は、分配マニホールドを提供することを含み得る。分配マニホールドは、組織部位に対面する組織対面側面と、組織対面側面に対向する外側対面側面とを含み得る。さらに、方法は、分配マニホールドの外側対面側面に減圧を適用することを含み得る。さらに、方法は、分配マニホールドの組織対面側面において第１の圧力を測定することを含み得る。さらに、方法は、分配マニホールドの外側対面側面において第２の圧力を測定することを含み得る。さらに、方法は、差圧を提供するために、第１の圧力と第２の圧力との差を計算することを含み得る。
【００１０】
いくつかの説明に役立つ実施形態では、組織部位における圧力を測定しかつ制御する方法は、組織部位の表面に隣接して分配マニホールドを位置決めすることを含み得る。分配マニホールドは、組織部位に対面する組織対面側面と、組織対面側面に対向する外側対面側面とを含み得る。さらに、方法は、分配マニホールドに隣接してアダプターを位置決めすることを含み得る。アダプターは、導管ハウジング、主ポート、第１の付属ポート、第２の付属ポート、第１のポート延長部、および第２のポート延長部を含み得る。導管ハウジングは、入口面を規定する陥凹領域を含み得る。入口面は、分配マニホールドの外側対面側面に対面し得る。主ポートは入口面上にあり得る。さらに、第１の付属ポートおよび第２の付属ポートは、入口面上にあり得る。第１のポート延長部および第２のポート延長部は、それぞれ、近位端部、遠位端部、および近位端部と遠位端部との間のボアを含み得る。第１のポート延長部の遠位端部は、第１の付属ポートと流体連通し得、および第２のポート延長部の遠位端部は、第２の付属ポートと流体連通し得る。さらに、方法は、第１のポート延長部の遠位端部および第２のポート延長部の遠位端部を分配マニホールド内へと挿入することを含み得る。さらに、方法は、減圧を、減圧源から主ポートを通して分配マニホールドに適用することを含み得る。さらに、方法は、第１のポート延長部を通して、分配マニホールドの組織対面側面と組織部位の表面との間の第１の圧力を測定することを含み得る。さらに、方法は、第２のポート延長部を通して、分配マニホールドの組織対面側面と組織部位の表面との間の第２の圧力を測定することを含み得る。さらに、方法は、第１の圧力および第２の圧力に従って、減圧源からの減圧を制御することを含み得る。
【００１１】
いくつかの説明に役立つ実施形態では、組織部位における圧力を測定しかつ制御する方法は、組織部位の表面に隣接して分配マニホールドを位置決めすることを含み得る。分配マニホールドは、組織部位に対面する組織対面側面と、組織対面側面に対向する外側対面側面とを含み得る。さらに、方法は、減圧源から分配マニホールドへ減圧を適用することを含み得る。さらに、方法は、組織部位の表面と分配マニホールドの組織対面側面との間の第１の圧力を測定することを含み得る。さらに、方法は、組織部位の表面と分配マニホールドの組織対面側面との間の第２の圧力を測定することを含み得る。さらに、方法は、第１の圧力および第２の圧力に従って、減圧源からの減圧を制御することを含み得る。
【００１２】
いくつかの説明に役立つ実施形態では、組織部位において流体を点滴注入する方法は、組織部位の表面に隣接して分配マニホールドを位置決めすることを含み得る。分配マニホールドは、組織部位に対面する組織対面側面と、組織対面側面に対向する外側対面側面とを含み得る。さらに、方法は、分配マニホールドに隣接してアダプターを位置決めすることを含み得る。アダプターは、導管ハウジング、主ポート、少なくとも１つの付属ポート、および少なくとも１つのポート延長部を含み得る。導管ハウジングは、入口面を規定する陥凹領域を含み得る。入口面は、分配マニホールドの外側対面側面に対面し得る。主ポートは入口面上にあり、および少なくとも１つの付属ポートは入口面上にあり得る。少なくとも１つのポート延長部は、近位端部、遠位端部、および近位端部と遠位端部との間のボアを含み得る。ポート延長部の遠位端部は、ボアを通して付属ポートと流体連通し得る。さらに、方法は、ポート延長部の遠位端部を分配マニホールド内へと挿入することと、付属ポート、およびポート延長部の遠位端部を通して、組織部位の表面に流体を送給することとを含み得る。
【００１３】
いくつかの説明に役立つ実施形態では、組織部位において流体を点滴注入する方法は、組織部位の表面に隣接して分配マニホールドを位置決めすることを含み得る。分配マニホールドは、組織部位に対面する組織対面側面と、組織対面側面に対向する外側対面側面とを含み得る。さらに、方法は、組織部位の表面と分配マニホールドの組織対面側面との間に直接流体を送給することを含み得る。
【００１４】
いくつかの説明に役立つ実施形態では、組織部位において分配マニホールドとの流体連通をもたらすためのアダプターは、ベース、ハウジング、主ポート、少なくとも１つの付属ポート、および少なくとも１つの流体経路を含み得る。ベースは設置面を含み得る。ハウジングは、ベースによって支持され得る。ハウジングは、ベースの設置面のインバウンド（ｉｎｂｏｕｎｄ）に延在する開口部を含み得る。主ポートおよび少なくとも１つの付属ポートは、開口部に位置決めされ得る。少なくとも１つの付属流体経路は、ベースの設置面のアウトバウンド（ｏｕｔｂｏｕｎｄ）の少なくとも１つの付属ポートから延在し得る。
【００１５】
いくつかの実施形態では、少なくとも１つの付属流体経路は、ベースの設置面を越えて延在し得る。さらに、いくつかの実施形態では、主ポートおよび少なくとも１つの付属ポートは、ベースの設置面のインバウンドにおよび開口部の内部表面上に位置決めされ得る。さらに、いくつかの実施形態では、少なくとも１つの付属ポートが、主ポートよりもベースの設置面の近くに位置決めされるように、主ポートは少なくとも１つの付属ポートから離間され得る。さらに、いくつかの実施形態では、少なくとも１つの付属流体経路は、近位端部および遠位端部を有し得る。少なくとも１つの付属流体経路の近位端部は、ベースの設置面のインバウンドに位置決めされ得る。少なくとも１つの付属流体経路の遠位端部は、ベースの設置面のアウトバウンドに位置決めされ得る。さらに、いくつかの実施形態では、ハウジングの開口部は、ベースの設置面のインバウンドに位置決めされた頂点を有し、および主ポートは頂点に位置決めされ得る。いくつかの実施形態では、少なくとも１つの付属流体経路は補助チューブを含み得る。補助チューブは、近位端部、遠位端部、および近位端部と遠位端部との間のボアを含み得る。補助チューブの遠位端部は、ベースの設置面のアウトバウンドに、およびボアを通して付属ポートと流体連通して、位置決めされ得る。
【００１６】
いくつかの説明に役立つ実施形態では、組織部位の治療方法は、組織部位の表面上に分配マニホールドを位置決めすることを含み得る。分配マニホールドは、組織部位に対面する組織対面側面と、組織対面側面に対向する外側対面側面とを含み得る。さらに、方法は、アダプターを提供することを含み得る。アダプターは、導管ハウジング、主ポート、付属ポート、および付属流体経路を含み得る。導管ハウジングは、入口面を規定する陥凹領域を含み得る。主ポートおよび付属ポートは、入口面上に位置決めされ得る。付属流体経路は、導管ハウジングを通して配置され、かつ導管ハウジングから外向きに延在し得る。さらに、方法は、分配マニホールド上にアダプターを位置決めして、付属ポートは分配マニホールドの外側対面側面上に位置決めされ、および付属流体経路は分配マニホールド内に延在するようにすることを含み得る。
【００１７】
いくつかの実施形態では、入口面は、アダプターが分配マニホールド上に位置決めされるとき、分配マニホールドの外側対面側面に対面し得る。さらに、いくつかの実施形態では、方法は、主ポートを通して分配マニホールドに減圧を適用することと；付属流体経路を通して第１の圧力を測定することと；付属ポートを通して第２の圧力を測定することと；差圧を提供するために、第１の圧力と第２の圧力との差を計算することとを含み得る。いくつかの実施形態では、第１の圧力は、組織部位の表面と分配マニホールドの組織対面側面との間で測定され得る。さらに、いくつかの実施形態では、第２の圧力は、分配マニホールドの外側対面側面において測定され得る。さらに、いくつかの実施形態では、方法は、差圧が１５ｍｍ  Ｈｇを上回る場合には、分配マニホールドを変更することを含み得る。
【００１８】
特許請求する主題を作製および使用する目的、利点、および好ましい態様は、説明に役立つ実施形態の以下の詳細な説明と併せて添付の図面を参照することにより、最もよく理解され得る。
【図面の簡単な説明】
【００１９】
【図１】図１は、本開示の例示的な実施形態による改良点を含む、減圧創傷治療（ＲＰＷＴ）システムの部分的に概略的な斜視図である。
【図２】図２は、本開示の例示的な実施形態による改良型アダプターの底面または開放側面の斜視図である。
【図３】図３は、図２の改良型アダプターの上側または閉鎖側面の平面図である。
【図４】図４は、図２の改良型アダプターの第１の側面図である。
【図５】図５は、図２の改良型アダプターの端面図である。
【図６】図６は、図２の改良型アダプターの第２の側面図である。
【図７】図７は、図２の改良型アダプターの底面または開放側面の平面図であり、底面は、本開示の例示的な実施形態に従って構成されている。
【図８】図８は、図２の改良型アダプターの底面または開放側面の平面図であり、底面は、本開示の別の例示的な実施形態に従って構成されている。
【図９】図９は、図７および図８のアダプターの陥凹領域の例示的な実施形態の詳細な図である。
【図１０】図１０は、本開示の例示的な実施形態による少なくとも１つのポート延長部を示す、改良型アダプターの底面または開放側面の斜視図である。
【図１１】図１１は、本開示の別の例示的な実施形態による少なくとも１つのポート延長部を示す、改良型アダプターの底面または開放側面の斜視図である。
【図１２Ａ】図１２Ａは、本開示によるＲＰＷＴシステムと一緒に使用するのに好適な分配マニホールドの例示的な実施形態の斜視図である。
【図１２Ｂ】図１２Ｂは、本開示によるＲＰＷＴシステムと一緒に使用するのに好適な分配マニホールドの別の例示的な実施形態の斜視図である。
【図１３Ａ】図１３Ａは、本開示の例示的な実施形態による改良型送給チューブの開放端部の斜視図である。
【図１３Ｂ】図１３Ｂは、図１３Ａの改良型送給チューブの縦断面図である。
【図１４Ａ】図１４Ａは、本開示の別の例示的な実施形態による改良型送給チューブの開放端部の斜視図である。
【図１４Ｂ】図１４Ｂは、図１４Ａの改良型送給チューブの縦断面図である。
【図１５】図１５は、本開示の例示的な実施形態による減圧システムを示す概略的なブロック図である。
【図１６】図１６は、本開示の別の例示的な実施形態による改良点を含む、減圧創傷治療（ＲＰＷＴ）システムの部分的に概略的な斜視図である。
【図１７】図１７は、本開示の例示的な実施形態による送給チューブの一部分に結合された分割コネクタの切り欠き図である。
【図１８】図１８は、本開示の別の例示的な実施形態による減圧システムを示す、概略的なブロック図である。
【図１９】図１９は、組織部位に存在する実際の圧力のプロットと比較した、本開示によるアダプターによって組織部位において測定された圧力のグラフィカルプロットである。
【図２０】図２０は、本開示による分配マニホールドの組織対面側面において測定された圧力のプロットと比較した、分配マニホールドの外側対面側面において測定された圧力のグラフィカルプロットである。
【発明を実施するための形態】
【００２０】
例示的な実施形態の以下の詳細な説明は、添付図面を参照し、かつ当業者が、添付の特許請求の範囲で説明する主題を作製および使用できるようにするのに十分な情報を提供する。しかしながら、詳細な説明では、当業界で公知のいくつかの詳細な情報については省略し得る。添付の特許請求の範囲によって定義されるような本開示の範囲から逸脱せずに、他の実施形態も可能であり、および本明細書の例示的な実施形態に、構造上の、機械的な、電気的な、および化学的な変更がなされ得る。それゆえ、以下の詳細な説明は、限定ではなく、説明のためのものである。
【００２１】
動作信頼性を改善するアダプターを含み得る、減圧療法および点滴注入療法システムに関する改良例が提供される。例えば、アダプターは、治療システムに関連する測定ルーメンまたは感知ルーメン内への意図しない液体の侵入の機会を防止するかまたは減少させるように構成され得る。さらに、アダプターは、測定ルーメン、感知ルーメン、または点滴注入ルーメン（これらは全て、付属ルーメンと称し得る）を、組織部位の表面などの組織部位の対象点の近くに位置決めするように構成され得る。ルーメンは、対象点と、限定されるものではないが、センサー、点滴注入リザーバ、または減圧源などの構成要素との間で互いに別々とし得るかまたはその連通が隔離され得る。そのような構成は、組織部位での圧力測定の精度を高め、および点滴注入流体を有効利用できるようにし得る。減圧療法および点滴注入療法の方法論の改良例も提供される。
【００２２】
本明細書では、用語「組織部位」は、骨組織、脂肪組織、筋組織、神経組織、皮膚組織、脈管組織、結合組織、軟骨、腱、または靭帯を含むがこれらに限定されない組織にあるまたはその内部の、創傷、欠損、または他の治療標的を広範に指し得る。創傷は、例えば、慢性の、急性の、外傷性の、亜急性の、および離開した創傷、中間層熱傷、潰瘍（例えば糖尿病潰瘍、圧迫潰瘍、または静脈不全潰瘍）、弁（ｆｌａｐ）、およびグラフトを含み得る。用語「組織部位」はまた、必ずしも傷ついても欠損してもいない、いずれかの組織領域を指し得るが、その代わりに、追加的な組織の成長を支援または促進することが望ましいとし得る領域である。例えば、組織部位に陰圧を適用して追加的な組織を成長させ、それら組織を採取し、移植してもよい。創傷に言及し得るが、本明細書では装置、システム、および方法論が、限定されるものではないが、任意の特定のタイプの組織部位に提供される。
【００２３】
さらに、用語「陰圧」は、一般的に、治療システム、または治療システムの一部分、例えばドレッシングによってもたらされ得る密閉治療環境の外側における周囲圧力などの局所的な周囲圧力を下回る圧力を指し得る。局所的な周囲圧力はまた、組織部位がある場所の大気圧とし得る。圧力はまた、組織部位における組織に関連する静水圧を下回り得る。他に指定のない限り、本明細書で述べる圧力の値はゲージ圧である。さらに、陰圧の上昇への言及は、絶対圧の低下を指し得る一方、陰圧の低下は、絶対圧の上昇を指し得る。組織部位に適用される陰圧の量および性質は、治療条件に従って変化し得るが、圧力は、一般的に、粗引き真空（ｒｏｕｇｈ  ｖａｃｕｕｍ）とも一般に呼ばれる低真空、−５ｍｍ  Ｈｇ（−６６７Ｐａ）〜−５００ｍｍ  Ｈｇ（−６６．７ｋＰａ）とし得る。一般的な治療範囲は、−７５ｍｍ  Ｈｇ（−９．９ｋＰａ）〜−３００ｍｍ  Ｈｇ（−３９．９ｋＰａ）とし得る。
【００２４】
本開示の例示的な実施形態による減圧創傷治療（ＲＰＷＴ）システムに含まれ得る構成要素の概要のために、最初に図１を参照して説明する。いくつかの実施形態では、ＲＰＷＴシステム１０は、創傷ドレッシング１２、送給チューブ１４、および流体閉じ込め・計測（ｉｎｓｔｒｕｍｅｎｔａｔｉｏｎ）アセンブリ１６を含み得る。流体閉じ込め・計測アセンブリ１６は、流体コンテナー１８および計測構成要素２０を含み得る。さらに、ＲＰＷＴシステム１０は、創傷ドレッシング１２と送給チューブ１４との間を流体連通させ得るアダプター２２を含み得る。送給チューブ１４は、アダプター２２と流体閉じ込め・計測アセンブリ１６との間を流体連通させ得る。いくつかの実施形態では、アダプター２２は、創傷ドレッシング１２の一部として含まれ得る。ＲＰＷＴシステム１０は、図１において、ＲＰＷＴシステム１０ａとして一実施形態で示される。図１６は、ＲＰＷＴシステム１０ｂと称すＲＰＷＴシステム１０の別の実施形態を開示する。本明細書におけるＲＰＷＴシステム１０への言及は、ＲＰＷＴシステム１０ａおよびＲＰＷＴシステム１０ｂの双方に関連付けられ得る要素または構成要素を指し得る。さらに、本明細書および図面間の同様の参照符号は、同様の要素および構成要素を指し得る。
【００２５】
創傷ドレッシング１２は、分配マニホールド２４、例えば多孔質パッドまたは粒状発泡体（ｇｒａｎｕｌａｒ  ｆｏａｍ）と、分配マニホールド２４を組織部位２５に固定し得るカバーまたはドレープ２６とを含み得る。アダプター２２は、分配マニホールド２４との流体連通をもたらし、および分配マニホールド２４上に位置決めされ、かつ例えば、アダプター２２、創傷ドレープ２６、またはアダプター２２に関連付けられた別個の接着ドレープ上に位置決めされた接着剤によって、それに接着され得る。
【００２６】
流体コンテナー１８は、組織部位２５から引き出された滲出液および他の流体を管理するのに好適なコンテナー、キャニスター、パウチ、または他の保管構成要素を表し得る。いくつかの実施形態では、流体コンテナー１８は、流体を収集、保管、および廃棄するのに好適な強固なコンテナーとし得る。
【００２７】
分配マニホールド２４は、圧力下で組織部位２５などの組織部位にわたって流体を収集するかまたは分配するように適合された複数の経路を提供する任意の物体または構造体を含み得る。例えば、分配マニホールド２４は、陰圧源から陰圧を受け、かつその陰圧を、組織部位２５にわたって複数のアパーチャに分配するように適合されてもよく、これは、組織部位２５にわたって流体を収集しかつ陰圧源の方へ流体を引く効果を有し得る。いくつかの実施形態では、流体流路は逆にされてもよいし、または組織部位２５にわたって流体を送給するのを容易にするために二次流体流路が設けられてもよい。
【００２８】
いくつかの実施形態では、分配マニホールド２４の経路は、組織部位２５にわたる流体の分配または収集を改善し得るように相互に接続され得る。さらに、いくつかの実施形態では、分配マニホールド２４は、連続気泡または細孔を有する多孔質発泡材料とし得る。例えば、気泡質の発泡体、連続気泡発泡体、網状発泡体、多孔性組織集合体、およびガーゼまたはフェルトのマットなどの他の多孔質材は、一般的に、相互接続された流路を形成するように適合された細孔、エッジ、または壁を含む。液体、ゲル、および他の発泡体はまた、アパーチャおよび流路を含み得るか、または硬化してアパーチャおよび流体経路を含み得る。いくつかの実施形態では、それに加えてまたはその代わりに、分配マニホールド２４は、相互接続した流体経路を形成する突起を含み得る。例えば分配マニホールド２４は、相互接続した流体経路を画成する表面突起をもたらすように成形され得る。
【００２９】
非限定的な一例では、分配マニホールド２４は、連続気泡の網状ポリウレタン発泡体、例えばＫｉｎｅｔｉｃ  Ｃｏｎｃｅｐｔｓ，Ｉｎｃ．（Ｓａｎ  Ａｎｔｏｎｉｏ、Ｔｅｘａｓ）から双方とも入手可能なＧｒａｎｕＦｏａｍ（登録商標）ドレッシングまたはＶｅｒａＦｌｏ（登録商標）発泡体とし得る。さらに、いくつかの実施形態では、分配マニホールド２４は、疎水性または親水性のいずれかとし得る。分配マニホールド２４が親水性とし得る例では、分配マニホールド２４はまた、組織部位２５に陰圧を分配し続ける間に、組織部位２５から流体を吸い上げ得る。分配マニホールド２４の吸い上げ特性は、毛細管流動または他のウィッキング機構によって組織部位２５から流体を引き出し得る。親水性発泡体の例は、ポリビニルアルコール製の連続気泡発泡体、例えばＫｉｎｅｔｉｃ  Ｃｏｎｃｅｐｔｓ，Ｉｎｃ．（Ｓａｎ  Ａｎｔｏｎｉｏ、Ｔｅｘａｓ）から入手可能なＶ．Ａ．Ｃ．ＷｈｉｔｅＦｏａｍ（登録商標）ドレッシングである。他の親水性発泡体は、ポリエーテルから作製されたものを含み得る。親水性を示し得る他の発泡体は、親水性をもたらすように処理または被覆された疎水性発泡体を含む。
【００３０】
ドレープ２６は、例えば、所与の陰圧源に関して組織部位２５において陰圧を維持するのに適したシールをもたらし得るエラストマーフィルムまたは膜とし得る。いくつかの実施形態では、ドレープ２６は、高透湿度（ＭＶＴＲ）を有し得る。例えば、いくつかの実施形態では、ＭＶＴＲは、少なくとも３００ｇ／ｍ２／２４時間を有し得る。いくつかの例示的な実施形態では、ドレープ２６は、水蒸気に対して透過性であるが液体に対して不透過性であり得るポリマードレープ、例えばポリウレタンフィルムとし得る。そのような実施形態では、ドレープ２６は、２５〜５０ミクロンの範囲の厚さを有し得る。透過性材料に関し、透過性は、一般的に、所望の陰圧が維持され得るように十分に低い必要がある。
【００３１】
送給チューブ１４は、組み立て済みの構造体として、アダプター２２と、流体コンテナー１８上に位置決めされ得るコンテナーコネクタ３４との間に連続的な導管を提供し得る、１つ以上のチューブセクション２８を含み得る。ＲＰＷＴシステム１０によって引かれる液体および滲出液は、コンテナーコネクタ３４において送給チューブ１４から除去されて、流体コンテナー１８内に保持され得る。計測チューブ３６の形態の追加的なチューブの複数のセクションが、コンテナーコネクタ３４から計測構成要素２０まで延在し得る。
【００３２】
図１に示すように、いくつかの実施形態では、計測構成要素２０は、減圧源３８と、第１の圧力センサー３９などの圧力センサーと、第２の圧力センサー４０などの別の圧力センサーとを含み得る。他の実施形態では、図１６に示し、かつさらに下記で説明するように、計測構成要素２０は、減圧源３８、圧力センサー３９、および点滴注入リザーバ４１を含み得る。計測構成要素２０のそれぞれは、アダプター２２から流体閉じ込め・計測アセンブリ１６内へと延在し得る１つの隔離された導管、チューブ、またはルーメンと個別に関連付けられ得る。
【００３３】
非限定的な例として、減圧源３８は、陰圧での空気の溜め部としてもよいし、または密閉された容積部の圧力を低下させ得る手動または電動の装置、例えば真空ポンプ、吸引ポンプ、多くのヘルスケア施設で利用可能なものなどの壁面吸い込みポート、またはマイクロポンプなどとしてもよい。減圧源３８は、治療をさらに容易にし得るセンサー、処理装置、アラームインジケータ、メモリ、データベース、ソフトウェア、表示装置、またはユーザインターフェースなどの他の構成要素内に収容され得るかまたはそれらと一緒に使用され得る。減圧源はまた、１つ以上の分配構成要素に対する結合および分離を容易にするように構成された１つ以上の供給ポートを含み得る。
【００３４】
減圧アダプター２２についてさらに説明するために、ここで図２〜９を参照する。図２は、創傷ドレッシング１２の分配マニホールド２４に接触するように適合され得るアダプター２２の開口部内にある構造要素を示す。アダプター２２は、ベース５０と、ベース５０によって支持され得るかまたはそれに結合され得るハウジングまたは導管ハウジング６２とを含み得る。
【００３５】
ベース５０は、例えば、図１に示す分配マニホールド２４またはドレープ２６に接着され得る。ベース５０は、分配マニホールド２４の上側に位置決めされ得るベースアパーチャ５３を含み得る。液体および気体（まとめて「流体」と呼ばれる）は、組織部位２５からベースアパーチャ５３を通して引かれ得る。アダプター２２は、ベースアパーチャ５３の近くにおよびそれと流体連通して位置決めされたチャンネル要素を含み得る。さらに下記で説明するように、チャンネル要素は、ＲＰＷＴシステム１０の他の構成要素、例えば計測構成要素２０とのどんな干渉も最小限にしながら、ドレナージに対して液体を方向付けてルートに沿って送り得る。
【００３６】
さらに、ベース５０は設置面３３を含んでもよく、および設置面３３の少なくとも一部分は、設置平面２７を規定し得る。図２および図４では、設置平面２７は、アダプター２２の特徴を互いに対して説明するための基準点またはデータ点を提供する。それゆえ、設置平面２７は、説明のために提供され、およびアダプター２２の一部を形成しないか、またはそうでなければアダプター２２のいずれかの構成要素が平面的な形状を有することを必要とする。設置平面２７は、第１の近位側面すなわち第１の平面的な側面２９と、第１の平面的な側面２９に対向する第２の遠位側面すなわち第２の平面的な側面３１とを有し得る。いくつかの実施形態では、第１の平面的な側面２９および第２の平面的な側面３１は、それぞれ、設置平面２７によって分離された空間または領域を指し得る。例えば、第１の平面的な側面２９上の第１の空間は、第２の平面的な側面３１の第２の空間に対向する設置平面２７の側面に位置決めされ得る。ベース５０の設置面３３は、第１の平面的な側面２９と同一平面上にあり、かつ第１の平面的な側面２９に対面し得る。設置面３３および第２の平面的な側面３１は、分配マニホールド２４に対面するように、またはその上に位置決めされるように、構成され得る。
【００３７】
引き続き図２を参照して説明すると、アダプター２２の導管ハウジング６２は、開口部または陥凹領域５４を含み得る。開口部または陥凹領域５４は、内部表面または入口面５５を規定し得る。ベース５０は、導管ハウジング６２に取り付けられ、かつ陥凹領域５４の周りに位置決めされ得る。いくつかの実施形態では、ベース５０は、陥凹領域５４を部分的にまたは完全に取り囲み得る。導管ハウジング６２および陥凹領域５４は、入口面５５が第１の平面的な側面２９に対面する状態で、設置平面２７の第１の平面的な側面２９上に位置決めされる。さらに、入口面５５は、分配マニホールド２４に対面するように適合され得る。いくつかの実施形態では、入口面５５は、設置平面２７の第１の平面的な側面２９から離間され得る。
【００３８】
いくつかの実施形態では、導管ハウジング６２の開口部または陥凹領域５４は、ベース５０の設置面３３に対してインバウンド方向に延在し得る。インバウンド方向は、設置面３３が対面するように構成される方向、例えば対面方向またはアウトバウンド方向とはほぼ反対の方向とし得る。設置面３３の対面方向またはアウトバウンド方向は、例えば、組織部位２５または分配マニホールド２４に対面するように構成され得る。
【００３９】
主ポート６０および少なくとも１つの付属ポート、例えば第１の付属ポート５６および第２の付属ポート５８は、入口面５５上に位置決めされ得る。主ポート６０は、陥凹領域５４の頂点において中心に配置または位置決めされ得、および付属ポート５６、５８は、ベースアパーチャ５３の対向縁部の近くに位置決めされ得る。陥凹領域５４の頂点および主ポート６０は、設置平面２７の第１の平面的な側面２９から離間され得る。いくつかの実施形態では、主ポート６０は付属ポート５６、５８から離間され、付属ポート５６、５８が、主ポート６０よりも、設置平面２７の第１の平面的な側面２９の近くに位置決めされるようにし得る。
【００４０】
いくつかの実施形態では、導管ハウジング６２は、導管ハウジング６２を通過するかまたはそこに一体的に形成された、主導管（図示せず）および一対の付属導管（図示せず）を含み得る。主導管の第１の端部は、主ポート６０において入口面５５で終端し、および付属導管の第１の端部は、それぞれ付属ポート５６、５８において入口面５５で終端する。
【００４１】
さらに、いくつかの実施形態では、導管ハウジング６２は、送給チューブ１４と流体連通して結合されるように適合され得る導管ハウジングアパーチャ６６を含み得る。主ルーメンインターフェース６４および少なくとも１つの付属ルーメンインターフェース、例えば図５に示す付属ルーメンインターフェース４８、４９が、導管ハウジングアパーチャ６６内に位置決めされ得る。いくつかの実施形態では、主ルーメンインターフェース６４は、導管ハウジングアパーチャ６６内で中心に位置決めされ得、および付属ルーメンインターフェース４８、４９は、主ルーメンインターフェース６４の周りに位置決めされ得る。主導管の第２の端部は、主ルーメンインターフェース６４で終端し、および付属導管の第２の端部は、それぞれ付属ルーメンインターフェース４８、４９で終端し得る。それゆえ、主ルーメンインターフェース６４は、導管ハウジング６２内にある主導管を通して主ポート６０と流体連通し得、および付属ルーメンインターフェース４８、４９は、それぞれ、導管ハウジング６２内にある付属導管を通して付属ポート５６、５８と流体連通し得る。従って、図１に示す減圧源３８は、導管ハウジング６２を通して、例えば、主ルーメンインターフェース６４などを通して、主ポート６０と流体連通して位置決めされ得る。同様に、いくつかの実施形態では、図１に示す第１の圧力センサー３９および第２の圧力センサー４０は、導管ハウジング６２を通して、例えば、それぞれ付属ルーメンインターフェース４８、４９などを通して、それぞれ付属ポート５６、５８と流体連通して位置決めされ得る。他の実施形態では、図１６に示す圧力センサー３９および点滴注入リザーバ４１は、導管ハウジング６２を通して、例えば、それぞれ付属ルーメンインターフェース４８、４９などを通して、それぞれ付属ポート５６、５８と流体連通して位置決めされ得る。さらなる実施形態が可能である。
【００４２】
図３に示すアダプター２２の上側平面図を参照して説明すると、いくつかの実施形態では、導管ハウジング６２はエルボ形状とし得る。しかしながら、他の実施形態では、導管ハウジング６２は、任意の所望の角度で構成されてもよいし、またはベース５０から垂直に延在してもよい。さらに、図３に示すように、いくつかの実施形態では、導管ハウジング６２は、エルボ領域６８を含み、およびベース５０に対して中心に位置決めされ得る。
【００４３】
図４を参照して説明すると、いくつかの実施形態では、アダプター２２は薄型構成を有し、ベース５０がアダプター２２の横方向の限界を規定し得る。上述の通り、ベース５０は、分配マニホールド２４に直接接着され得るか、または創傷ドレッシング１２のドレープ２６を使用して位置決めされて接着され得る。アダプター２２は分配マニホールド２４上に位置決めされて、ベース５０のベースアパーチャ５３（この図には示さず）が分配マニホールド２４と直接接触するようにし得る。図４の実施形態では、主ルーメンインターフェース６４は、導管ハウジング６２から外向きに延在し、および導管ハウジングアパーチャ６６によって取り囲まれ得る。導管は、上述の通り、インターフェース４８、４９、６４と陥凹領域５４との間を、アダプター２２の基板材料を通って延在し得る。エルボ領域６８は、アダプター２２の真下に位置決めされ得る創傷ドレッシング１２からの流体の流れの方向を、主インターフェース６４に関連付けられる角度に変えて、ＲＰＷＴシステム１０を創傷ドレッシング１２上に配置でき、かつ創傷ドレッシング１２の表面の近くに薄型構成に維持できるようにし得る。
【００４４】
図５を参照すると、アダプター２２およびエルボ領域６８の構成の別の図、ならびに導管ハウジング６２の内部構成が示されている。ベース５０および導管ハウジングアパーチャ６６は、図４に関連して上述したように位置決めされる。本明細書で説明するように、導管ハウジング６２は、ＲＰＷＴシステム１０の構成要素に接続するためのチューブのセクションを受け入れるように位置決めされ得る。
【００４５】
引き続き図５を参照すると、主ルーメンインターフェース６４および付属ルーメンインターフェース４８および４９も示されている。付属ルーメンインターフェース４８および４９は、例えば、下記で図１３Ａ〜１４Ｂに関連してさらに説明するように、主ルーメン８２を送給チューブ１４内に、主ルーメンインターフェース６４の上側を覆うようにして配置することによって、送給チューブ１４内の対応するルーメンと位置合わせし得る。
【００４６】
図６を参照すると、図４のアダプターを対向する側から見た図を提供し、図４に関連して前に説明したものと同じ構成要素、およびいくつかの実施形態において構成されたようなアダプター２２の対称物を示す。他に指定のない限り、アダプター２２は、患者に快適さをもたらすことができる一方で、アダプター２２に不可欠である開放ルーメン、導管、および通路を維持するための十分な剛性または弾力性を維持する任意の材料で構成され得る。いくつかの実施形態では、アダプター２２は、柔軟性材料で形成され得る。
【００４７】
図７を参照すると、好ましくは、液体および他の非ガス状流体を付属ポート５６、５８から離れるように流し得る陥凹領域５４内の要素の構造および機能をさらに示すために、アダプター２２の実施形態の別の図が示されている。ベース５０は、陥凹領域５４の縁または周囲を実質的にまたは全体的に取り囲み得る。付属ポート５６および５８は、上述の通り位置決めされて示されている。主ポート６０は、陥凹領域５４内の中心に配置されて示され得る。液体を主ポート６０および関連の主導管へ伝える働きをし得、およびそれにより付属ポート５６、５８、および関連の付属導管を閉塞されないままにできる陥凹領域５４内の構造を、図９に関して下記でより詳細に説明する。
【００４８】
図８を参照すると、アダプター２２に関連付けられ得る、ベース５２と呼ばれるベース５０の別の実施形態が示されている。ベース５２は、ベース鋸歯状誘導チャンネル７０、周囲収集チャンネル７２、および中間収集チャンネル７４を含み得る。いくつかの実施形態では、ベース鋸歯状誘導チャンネル７０、周囲収集チャンネル７２、および中間収集チャンネル７４は、ベース５２の設置面３３に成形され得る。図８において構成されたようなベース鋸歯状誘導チャンネル７０、周囲収集チャンネル７２、および中間収集チャンネル７４は、液体を付属ポート５６、５８から離れて主ポート６０内へと方向付け得る。ベース鋸歯状誘導チャンネル７０は、液体の大部分を直接捕捉しかつアダプター２２へ引き寄せられるかまたは引き込まれるように運ぶように、ベース５２上に位置決めされ、かつそのようにする向きにされ得る。ベース鋸歯状誘導チャンネル７０は離間され、液体を付属ポート５６、５８から離れて主ポート６０へ流し込むような半径方向の向きにされる。さらに、周囲収集チャンネル７２および中間収集チャンネル７４は、液体の流れの方向を、ベース鋸歯状誘導チャンネル７０の部分の間で、および付属ポート５６、５８から離れるように変え得る。この方向を変えられた流れの例は、図８に、流れを示す太い矢印で示し、ここでは、半径方向チャンネル７０またはベース鋸歯状誘導チャンネル７０はベース５２上に位置決めされて、ベース５２の周辺からの液体を、付属ポート５６、５８から離れるように方向付ける。さらに、中間収集チャンネル７４はベース５２上に位置決めされて、液体を半径方向チャンネル７０またはベース鋸歯状誘導チャンネル７０内へ方向付けるようにし得る。
【００４９】
導管ハウジング６２の陥凹領域５４内に含まれ得る特徴および要素をさらに説明するために、ここで図９を参照して説明する。これらの特徴は、好ましくは、陥凹領域５４の入口面５５上に位置決めされ、かつ液体および他のガス状滲出液を付属ポート５６、５８から離れるようにおよび主ポート６０内へと流すように構成され得る。図示の通り、いくつかの実施形態では、主ポート６０は、陥凹領域５４内で中心に位置決めされ得、およびこの中心位置から陥凹領域５４の片側へと延在し得る。さらに、付属ポート５６および５８は、主ポート６０の両側に位置決めされ得る。図示の通り、いくつかの実施形態では、付属ポート５６および５８は円形開口部としてもよく、および隆起周縁部を有し得る。
【００５０】
図９の実施形態に示す様々な要素は、好ましくは、液体をアダプター２２の主ポート６０内へと流すように位置決めされ得る。例えば、付属ポート５６および５８は、ベースアパーチャ５３（図７に示す）の周囲および陥凹領域５４の近くに、およびアダプター２２が分配マニホールドに位置決めされるときには分配マニホールド２４の表面の近くとし得るレベルに、位置決めされ得る。従って、アダプター２２が創傷ドレッシング１２上に位置決めされると、付属ポート５６および５８は、分配マニホールド２４の表面と接触し得るか、またはほぼ接触し得る。そのような構成は、付属ポート５６および５８へと方向付けられている液体が跳ね上がったりまたは攪拌されたりする可能性を最小限にし得る。
【００５１】
液体を主ポート６０内へ方向付け得る追加的な要素は、陥凹領域５４の入口面５５の複数の部分上に形成され得る構造的な鋸歯状チャンネルである。第１の線形の鋸歯状チャンネルセクション４２は、付属ポート５８と関連付けられ得る陥凹領域５４のほぼ半円形のセクションと関連付けられて位置決めされ得る。陥凹領域５４のこのセクションを含む材料は、付属ポート５８と図５に示す付属ルーメンインターフェース４８、４９のうちの一方との間で導管ハウジング６２内に延在し得る導管（図示せず）を覆いかつそれを含む天井張りを形成し得る。この天井張りは、この表面に落ちる液体を陥凹領域５４内の主ポート６０の方へ方向付け得る鋸歯状チャンネルまたは細い溝のアレイと一緒に構成され得る。入口面５５のこの部分に落ち得るいずれの液体も、付属ポート５８内へ方向付けられるのではなく、主ポート６０内へと直接運ばれ得る。
【００５２】
引き続き図９を参照して説明すると、同様の構成が、円の約３分の１の半径方向鋸歯状チャンネルセクション４４に構成され得る。陥凹領域５４のこのセクションに内部導管が含まれない限り、半径方向鋸歯状チャンネルセクション４４は、より深くおよびより直接的に主ポート６０へと延在し得る。半径方向鋸歯状チャンネルセクション４４は、陥凹領域５４の周囲から、主ポート６０へと排出させる陥凹領域５４の頂点まで延在し得る。さらに、半径方向鋸歯状チャンネルセクション４４は、付属ポート５８から付属ポート５６まで、陥凹領域５４の円の約３分の１の部分の周りに、半径方向に延在し得る。陥凹領域５４の半径方向鋸歯状チャンネルセクション４４に落ちるいずれの液体も、付属ポート５６、５８のいずれかへ伝えられるのではなく、主ポート６０に方向付けられ得る。
【００５３】
さらに、付属ポート５６が主ポート６０の上に突き出る点で付属ポート５６を支持する壁セクションは、鋸歯状のまたは細い溝をつけられたチャンネル４６を含み得る。図９に示す向きでは、鋸歯状のまたは細い溝をつけられたチャンネル４６は、付属ポート５６の開口部から主ポート６０の開口部の方へ下方に延在し得る。
【００５４】
上述の通り、陥凹領域５４の様々な要素は、液体を陥凹領域５４内から引き出しかつ液体を主ポート６０の方へ方向付けるように構成され得る。陥凹領域５４の構成が付属ポート５６、５８においてほとんどまたは全く吸引をもたらさない限り、液体または材料が付属ルーメン５６、５８を詰まらせるような閉塞の可能性が、かなり低減され得る。
【００５５】
図１０〜１１を参照して説明すると、いくつかの実施形態では、アダプター２２は、少なくとも１つの補助チューブまたはポート延長部３７を含み、これは、ベース５０の設置面３３を越えてまたはそのアウトバウンドへ延在し得る付属流体経路を画成、形成、または提供し得る。本明細書でポート延長部３７に関して説明した特徴は、補助チューブおよび付属流体経路に適用可能またはそれらと交換可能とし得る。ポート延長部３７のそれぞれは、近位端部４３、遠位端部４５、および近位端部４３と遠位端部４５との間のボア４７を含み得る。いくつかの実施形態では、近位端部４３と遠位端部４５との間のポート延長部３７の長さは、約６ミリメートル〜約８ミリメートルとし得る。ポート延長部３７の近位端部４３は、図１に示す設置平面２７の第１の平面的な側面２９上にまたはそこに、付属ポート５６、５８の１つ以上と流体連通して位置決めされ得る。いくつかの実施形態では、ポート延長部３７の近位端部４３は、付属ポート５６、５８の１つ以上の周りで入口面５５に結合され得る。
【００５６】
図１０〜１１のポート延長部３７の遠位端部４５は、設置平面２７を通って第２の平面的な側面３１まで、または第２の平面的な側面３１を越えて延在し得る。それゆえ、ポート延長部３７は、設置平面２７を通って設置面３３を越えて、設置平面２７の第２の平面的な側面３１まで延在し得る。さらに、ポート延長部３７の遠位端部４５は、第２の平面的な側面３１上に、または第２の平面的な側面３１を越えて、およびボア４７を通して付属ポート５６、５８の１つ以上と流体連通して、位置決めされ得る。いくつかの実施形態では、ポート延長部３７のボア４７は、付属ポート５６、５８の１つ以上とポート延長部３７の遠位端部４５との間に、隔離された連通路を画成し得る。さらに、ポート延長部３７の遠位端部４５は、第２の平面的な側面３１上の設置平面２７から離間され得る。
【００５７】
いくつかの実施形態では、ポート延長部３７は、縦方向に潰れることができるまたは調整可能とし得る。例えば、いくつかの実施形態では、ポート延長部３７は、弾力性または柔軟性材料、例えば、限定されるものではないが、軟質ポリマーまたは可塑性ＰＶＣ材料で形成され得る。そのような材料は、ポート延長部３７を組織部位２５において異なる形状および輪郭に調整または一致させることができるようにする一方で、ポート延長部３７のボア４７は開放したままにまたは閉塞されないままにし得る。例えば、ポート延長部３７の遠位端部４５は、設置平面２７および同一平面上の設置面３３の近くへおよびそれから離れるようにボア４７の軸に沿って縦方向に可動である。さらに、いくつかの実施形態では、ポート延長部３７は、ポート延長部３７のボア４７を通した流体連通を制限することなく、ポート延長部３７の壁を折り畳むことができるように構成されたベローズまたは波形（図示せず）を担持し得るかまたはそれを備えて形成され得る。
【００５８】
いくつかの実施形態では、ポート延長部３７の遠位端部４５は、複数のキャスタレーション（ｃａｓｔｅｌｌａｔｉｏｎ）５７を担持し得る。いくつかの実施形態では、キャスタレーション５７は、ポート延長部３７の遠位端部４５から外向きに延在する突起とし得る。さらに、いくつかの実施形態では、キャスタレーション５７は、ポート延長部３７の遠位端部４５の周囲に配置され得る。さらに、いくつかの実施形態では、キャスタレーション５７は、ポート延長部３７に関して上述したものと類似の潰れることができるものとし得る。さらに、いくつかの実施形態では、キャスタレーション５７は、ポート延長部３７の遠位端部４５の周りで互いに離間され得る。さらに、いくつかの実施形態では、キャスタレーション５７のそれぞれの間には開口部５９が画成され得る。開口部５９は、ポート延長部３７のボア４７と流体連通して、例えば、ポート延長部３７の遠位端部４５が組織部位２５の表面に接触しているかまたはそのごく近くにあるときに、圧力測定、またはポート延長部３７を通る流体の点滴注入を促進し得る。さらに、いくつかの実施形態では、キャスタレーション５７のピッチまたは間隔は、互いの間が約０．５ミリメートル〜約１．０ミリメートルとし得る。そのようなピッチまたは間隔は、組織部位２５に好適な量の微小力変形（ｍｉｃｒｏ−ｆｏｒｃｅ  ｄｅｆｏｒｍａｔｉｏｎ）をもたらし得、これは、治癒および肉芽組織の形成を促し得る。
【００５９】
いくつかの実施形態では、ポート延長部３７の遠位端部４５は、ポート延長部３７の壁を通して配置された複数のアパーチャまたは孔（図示せず）を担持し得る。これらのアパーチャまたは孔は、遠位端部４５の近くおよびポート延長部３７の周囲に位置決めされ得る。さらに、アパーチャまたは孔は、ポート延長部３７の周囲または周縁で互いに離間され得る。キャスタレーション５７間の開口部５９と類似して、アパーチャまたは孔は、ポート延長部３７のボア４７と流体連通し、ポート延長部３７の遠位端部４５が組織部位２５の表面に接触するかまたはそのごく近くにあるときに、圧力測定、またはポート延長部３７を通る流体の点滴注入を促進し得る。
【００６０】
図１０を参照して説明すると、いくつかの実施形態では、少なくとも１つのポート延長部３７は、第１のポート延長部３７ａおよび第２のポート延長部３７ｂを含み得る。第１のポート延長部３７ａの近位端部４３は第１の付属ポート５６の周りに結合され、および第２のポート延長部３７ｂの近位端部４３は第２の付属ポート５８の周りに結合され得る。図１に示す第１の圧力センサー３９は、第１の付属ポート５６および第１のポート延長部３７ａと流体連通し得る。いくつかの実施形態では、同様に図１に示す第２の圧力センサー４０は、第２の付属ポート５８および第２のポート延長部３７ｂと流体連通し得る。他の実施形態では、図１６に示す点滴注入リザーバ４１は、第２の付属ポート５８および第２のポート延長部３７ｂと流体連通し得る。他の実施形態が可能である。
【００６１】
図１１を参照して説明すると、いくつかの実施形態では、ポート延長部３７は、第１の付属ポート５６の周りで入口面５５に結合された単一のポート延長部３７とし得る。例えば、ポート延長部３７の近位端部４３は、第１の付属ポート５６の周りで入口面５５に結合され得る。さらに、ポート延長部３７の遠位端部４５は、入口面５５から外向きに、およびベース５０またはベース５２の設置面３３を越えて延在し得る。第２の付属ポート５８は入口面５５で終端し得る。いくつかの実施形態では、図１に示す第１の圧力センサー３９は、導管ハウジング６２を通して第１の付属ポート５６およびポート延長部３７と流体連通して位置決めされ得る。さらに、同様に図１に示す第２の圧力センサー４０は、入口面５５において導管ハウジング６２を通して第２の付属ポート５８と流体連通して位置決めされ得る。
【００６２】
図１２Ａ〜１２Ｂを参照して説明すると、分配マニホールド２４は、ＲＰＷＴシステム１０、およびアダプター２２の使いやすさを高め得る追加的な要素を含み得る。例えば、分配マニホールド２４は、図１に示す組織部位２５に対面するように適合された組織対面側面６１と、組織対面側面６１に対向する外側対面側面６３とを含み得る。いくつかの実施形態では、分配マニホールド２４の組織対面側面６１は、組織部位２５に直接または実質的に接触するように適合され得る。同様に図１に示すドレープ２６は、組織部位２５において分配マニホールド２４の外側対面側面６３を被覆するように適合され得る。
【００６３】
引き続き図１２Ａ〜１２Ｂを参照し、図８および図１０〜１１を参照して説明すると、ベース５０またはベース５２の設置面３３は、分配マニホールド２４の外側対面側面６３上に位置決めされるように適合され得る。ベース５０またはベース５２の設置面３３が分配マニホールド２４上に位置決めされるとき、ポート延長部３７の遠位端部４５は、分配マニホールド２４内に延在するかまたは圧入されるように適合され得る。さらに、ポート延長部３７は、その長さ部分が、分配マニホールド２４の外側対面側面６３と組織対面側面６１との間に延在するように、適合され得る。いくつかの実施形態では、ポート延長部３７の近位端部４３は、分配マニホールド２４の外側対面側面６３に位置決めされるように適合され、およびポート延長部３７の遠位端部４５は、分配マニホールド２４の組織対面側面６１に位置決めされるように適合され得る。さらに、いくつかの実施形態では、ポート延長部３７の遠位端部４５は、組織部位２５と接触するように適合され得る。
【００６４】
図１２Ａを参照して説明すると、いくつかの実施形態では、分配マニホールド２４は、例えば、分配マニホールド２４に関して上述した材料のいずれかのシートまたはブロックで形成された分配マニホールド２４ａとし得、これは、図１に示す組織部位２５に適合するように切断または他の方法で付形され得る。図１２Ｂを参照して説明すると、いくつかの実施形態では、分配マニホールド２４は、少なくとも１つのポート延長部３７を受け入れるようなサイズにされた、そのように離間された、または他の方法でそのように適合された複数のポートアパーチャ６５を含む分配マニホールド２４ｂとし得る。いくつかの実施形態では、ポートアパーチャ６５は、約２ミリメートル〜約３ミリメートルの直径、および約１０ミリメートル〜約１２ミリメートルのピッチまたは間隔を有し得る。複数のポートアパーチャ６５は、例えば、外側対面側面６３と組織対面側面６１との間の、分配マニホールド２４ｂの厚さを通して配置され得る。いくつかの実施形態では、分配マニホールド２４ａまたは２４ｂの厚さは、約３０ミリメートルとし得る。
【００６５】
送給チューブ１４をさらに説明するために、ここで図１３Ａ〜１４Ｂを参照する。いくつかの実施形態では、送給チューブ１４は、主ルーメン８２および少なくとも１つの付属ルーメン、例えば、第１の付属ルーメン８４および第２の付属ルーメン８６などを含み得る。さらに、いくつかの実施形態では、送給チューブ１４は、マルチルーメンチューブ８０、例えば、図１３Ａ〜１３Ｂに示すマルチルーメンチューブ８０ａ、または図１４Ａ〜１４Ｂに示すマルチルーメンチューブ８０ｂなどとし得る。マルチルーメンチューブ８０ａ、８０ｂはまた、図１および図１６に関連して図示しかつ説明する１つ以上のチューブセクション２８および計測チューブ３６として使用され得る。他の実施形態では、送給チューブ１４は、本明細書で説明するＲＰＷＴシステム１０の様々な構成要素に対して、互いに別々のルートで送られ得るかまたはそれに結合され得る単一または個々のルーメンで構成され得る。
【００６６】
主ルーメン８２は、減圧源３８とアダプター２２の主ポート６０との間を、例えば、上述のアダプター２２内の主導管を通して流体連通するように適合され得る。さらに、少なくとも１つの付属ルーメン８４、８６は、例えば、同様に上述したアダプター２２の付属導管を通して、アダプター２２の付属ポート５６、５８の１つ以上と流体連通するように適合され得る。いくつかの実施形態では、主ルーメン８２の断面直径は、付属ルーメン８４および８６の断面直径よりも長いまたは大きいとし得る。
【００６７】
図１３Ａ〜１３Ｂを参照して説明すると、いくつかの実施形態では、マルチルーメンチューブ８０ａは、説明のルーメンのいずれかの潰れを妨げる一方で柔軟性を高め得る卵形断面を有し得る。さらに、この卵形断面形状はまた、付属ルーメン８４、８６を、上述のアダプター２２の付属ルーメンインターフェース４８、４９と適切に位置合わせする向きにし得る。
【００６８】
図１４Ａ〜１４Ｂを参照して説明すると、いくつかの実施形態では、第１の付属ルーメン８４は第１の対の付属ルーメン８４ａ、８４ｂとし得、および第２の付属ルーメン８６は第２の対の付属ルーメン８６ａ、８６ｂとし得る。第１の対の付属ルーメン８４ａ、８４ｂは、図２に示す第１の付属ポート５６と流体連通するように適合され得、および第２の対の付属ルーメン８６ａ、８６ｂは、同様に図２に示す第２の付属ポート５８と流体連通するように適合され得る。図１４Ａ〜１４Ｂに示すように、主ルーメン８２、第１の対の付属ルーメン８４ａ、８４ｂ、および第２の対の付属ルーメン８６ａ、８６ｂは、マルチルーメンチューブ８０ｂの一部を形成し得る。
【００６９】
いくつかの実施形態では、マルチルーメンチューブ８０ｂはまた、マルチルーメンチューブ８０ｂの外面に構成または位置決めされたアライメントタブ８５を含み、付属ルーメン８４、８６を、上述のアダプター２２の付属ルーメンインターフェース４８、４９と適切に位置合わせした向きにされ得る。他の実施形態では、アライメントタブ８５の代わりにまたはそれに加えて、色付きの線、点線、破線、またはエンボスを使用し得る。例えば、第１の対の付属ルーメン８４ａ、８４ｂは、付属ルーメンインターフェース４８、４９の一方と位置合わせされ、および第２の対の付属ルーメン８６ａ、８６ｂは、付属ルーメンインターフェース４８、４９の他方と位置合わせされ得る。付属ルーメンインターフェース４８、４９は、図１４Ａ〜１４Ｂを参照して、図５に最もよく示す。図５に示す実施形態では、付属ルーメンインターフェース４８、４９は、それぞれ、図１４Ａ〜１４Ｂに示す１つの対の付属ルーメン、例えば第１の対の付属ルーメン８４ａ、８４ｂまたは第２の対の付属ルーメン８６ａ、８６ｂと対になるような形状にされたアーチ状通路を含み得る。さらに、図５に示す付属ルーメンインターフェース４８、４９のアーチ状の通路はまた、図１３Ａ〜１３Ｂに示す卵形断面のマルチルーメンチューブ８０ａ内の付属ルーメン８４、８６と対になるように構成され得る。それゆえ、付属ルーメンインターフェース４８、４９の構成は、ＲＰＷＴシステム１０において、図１３Ｂに示すマルチルーメンチューブ８０ａの断面、および図１４Ｂに示すマルチルーメンチューブ８０ｂの断面の双方の使用に備える。
【００７０】
図１５は、ＲＰＷＴシステム１０ａのいくつかの例示的な実施形態と関連付けられ得る追加的な詳細を示す概略図である。図１５は、例えば、別々のルーメンまたは導管を通って、上述したようなアダプター２２と別々に流体連通する、減圧源３８、第１の圧力センサー３９、および第２の圧力センサー４０を示す。ＲＰＷＴシステム１０ａは、さらに、コントローラ９０、およびソレノイド弁９２、９４、および９６を含み得る。コントローラ９０は、第１の圧力センサー３９、第２の圧力センサー４０、および減圧源３８から圧力データを受信するように構成され得る。コントローラ９０はまた、圧力センサー３９、４０から受信した圧力データによって、図１に示す組織部位２５の圧力を監視するようにプログラムまたは構成され得る。コントローラ９０は、さらに、圧力データに従って、上述の主ルーメン８２および主ポート６０などを通してアダプター２２に減圧を供給するように減圧源３８を動作するように構成され得る。
【００７１】
いくつかの実施形態では、ソレノイド弁９２は第１の圧力センサー３９と流体連通し得、ソレノイド弁９４は第２の圧力センサー４０と流体連通し得、およびソレノイド弁９６は減圧源３８と流体連通し得る。コントローラ９０は、ソレノイド弁９２、９４、および９６、および減圧源３８に対して電気的に結合され得るかまたは動作可能とし得る。ＲＰＷＴシステム１０ａでは、ソレノイド弁９２、９４、および９６は、コントローラ９０によって制御されて、例えば、組織部位２５における圧力を調整し、および詰りを除去し得る。
【００７２】
例えば、液体または他の非ガス状物質が付属ルーメン８４、８６の一方に入る場合には、詰りが生じ、詰りのない付属ルーメンに対して、詰りを有する付属ルーメンの圧力変化の応答時間に遅延を生じる。遅延は、詰りが重度になるとともに、増大し得る。遅延が検出されると、ＲＰＷＴシステム１０ａは、詰りのない付属ルーメンから受信した圧力データに従って、組織部位２５の圧力を制御し得る。さらに、ＲＰＷＴシステム１０ａは、対応するソレノイド弁９２、９４を大気に開放することによって、詰りを除去しようとし得る。ＲＰＷＴシステム１０ａが詰りの除去に成功しない場合、ＲＰＷＴシステム１０ａは、詰りのある付属ルーメンから受信したいずれの圧力データも無視し、かつ詰りのない付属ルーメンから受信した圧力データに基づいて動作し得る。
【００７３】
図１６を参照して説明すると、ＲＰＷＴシステム１０ｂと称すＲＰＷＴシステム１０の別の実施形態が提供される。ＲＰＷＴシステム１０ｂの計測構成要素２０は、減圧源３８、圧力センサー３９、および点滴注入リザーバ４１を含み得る。分割コネクタ７６が、任意選択的に、ＲＰＷＴシステム１０ｂで使用されて、点滴注入リザーバ４１と流体連通させて創傷ドレッシング１２を結合し得る。点滴注入リザーバ４１は、液体を保持しかつ点滴注入療法用の溶液を提供するのに好適なコンテナー、キャニスター、パウチ、袋、または他の保管構成要素を代表し得る。点滴注入リザーバ４１は、導管ハウジング６２を通して付属ポート５６、５８の少なくとも一方と流体連通して位置決めされ得る。点滴注入溶液の組成は、処方された治療法に従って異なり得るが、好適な溶液の例は、次亜塩素酸塩ベースの溶液、硝酸銀（０．５％）、硫黄ベースの溶液、ビグアナイド、陽イオン溶液、および等張液を含み得る。図１６および他の図面に現れる同様の参照符号は、上述の構成要素と類似の構造および機能性を有し得るため、さらに説明することはしない。
【００７４】
図１７を参照して説明すると、分割コネクタ７６は、送給チューブ１４がマルチルーメンチューブ、例えばマルチルーメンチューブ８０ａ、８０ｂとして構成されるときに、送給チューブ１４に関連付けられた付属ルーメン８４、８６の少なくとも一方を分離するように構成され得る。図１７に、説明するために、分割コネクタ７６のコネクタポート８８ａに嵌った送給チューブ１４のチューブセクション２８を示す。いくつかの実施形態では、付属ルーメン８４、８６の一方、例えば第２の付属ルーメン８６は、分割コネクタ７６を通して、図１６に示す点滴注入リザーバ４１と流体連通して結合され得る。例えば、分割コネクタ７６は、第１の付属通路７８、第２の付属通路８１、および主通路８３を含み得る。図１７に示すように、第１の付属ルーメン８４は第１の付属通路７８と流体連通し得、第２の付属ルーメン８６は第２の付属通路８１と流体連通し得、および主ルーメン８２は主通路８３と流体連通し得る。いくつかの実施形態では、第１の付属通路７８は、図１４Ａに示す第１の対の付属ルーメン８４ａ、８４ｂと流体連通するように適合され得、および第２の付属通路８１は、同様に図１４Ａに示す第２の対の付属ルーメン８６ａ、８６ｂと流体連通するように適合され得る。第２の付属通路８１は、分割コネクタ７６のコネクタポート８８ｂにおいて、送給チューブ１４の別のチューブセクション２８、例えば計測チューブ３６、またはマルチルーメンチューブ８０ａ、８０ｂと流体連通するように結合され得る。さらに、送給チューブ１４の追加的なチューブセクション２８は、分割コネクタ７６のコネクタポート８８ｃにおいて結合されて、それぞれ主通路８３および第１の付属通路７８を通して、主ルーメン８２および第１の付属ルーメン８４との流体連通をもたらし得る。マルチルーメンチューブ８０ａ、８０ｂを分割コネクタ７６と一緒に使用するとき、コネクタポート８８ａ、８８ｂ、および８８ｃは、上述のルーメンとの流体連通をもたらす一方で他方のルーメンとの流体連通を遮断するように、構成され得る。
【００７５】
図１８は、ＲＰＷＴシステム１０ｂのいくつかの例示的な実施形態に関連付けられ得る追加的な詳細を示す概略図である。図１８は、例えば、別々のルーメンまたは導管を通って、上述したようなアダプター２２と別々に流体連通する、減圧源３８、圧力センサー３９、および点滴注入リザーバ４１を示す。ＲＰＷＴシステム１０ｂは、さらに、コントローラ９０、およびソレノイド弁９２、９４、および９６を含み得る。コントローラ９０は、圧力センサー３９および減圧源３８から圧力データを受信するように構成され得る。コントローラ９０はまた、圧力センサー３９から受信した圧力データによって、図１６に示す組織部位２５において圧力を監視するようにプログラムまたは構成され得る。コントローラ９０は、さらに、圧力データに従って、上述の主ルーメン８２および主ポート６０などを通してアダプター２２に減圧を供給するように減圧源３８を動作するように構成され得る。さらに、コントローラ９０は、さらに、上述の第２の付属ルーメン８６および第２の付属ポート５８などを通した、点滴注入リザーバ４１からアダプター２２への流体の流れを制御するように構成され得る。
【００７６】
いくつかの実施形態では、ソレノイド弁９２は圧力センサー３９と流体連通し得、ソレノイド弁９４は点滴注入リザーバ４１と流体連通し得、およびソレノイド弁９６は減圧源３８と流体連通し得る。コントローラ９０は、ソレノイド弁９２、９４、および９６、および減圧源３８に対して電気的に結合され得るかまたは動作可能である。ＲＰＷＴシステム１０ｂでは、ソレノイド弁９２、９４、および９６は、コントローラ９０によって制御されて、例えば、組織部位２５の圧力を調整し、かつ上述の通り詰りを除去し得る。さらに、ソレノイド弁９４は、点滴注入リザーバ４１から点滴注入流体を送給するための様々な構成を有し得る。図１８に示すように、点滴注入リザーバ４１は、ソレノイド弁９４と第２の付属ルーメン８６との間に流体連通して位置決めされ得る。そのような実施形態では、コントローラ９０は、ソレノイド弁９４を大気に開放し、それにより、点滴注入リザーバ４１内の真空を解除し、点滴注入リザーバ４１内の点滴注入流体が、アダプター２２に向かって第２の付属ルーメン８６に流入できるようにするように、動作可能とし得る。他の実施形態では、ソレノイド弁９４は、点滴注入リザーバ４１と第２の付属ルーメン８６との間に流体連通して位置決めされて得、ソレノイド弁９４の開放によって、重力の働きにより点滴注入流体が点滴注入リザーバ４１から流れることができるようにし得る。他の実施形態が可能であり、および他の作動装置、例えばポンプが、流体点滴注入リザーバ４１と関連付けられて、アダプター２２に向かう点滴注入流体の流れを促進し得る。
【００７７】
図１９を参照して説明すると、組織部位に存在する実際の圧力のプロットと比較した、図１０〜１１に示す少なくとも１つのポート延長部３７を含むアダプター２２の実施形態によって組織部位において測定された圧力のグラフィカルプロットとして、試験結果が示されている。図１９では、実線のプロット線は、アダプター２２によって測定された圧力を表し、および破線のプロット線は、制御または基準線として組織部位において測定された実際の圧力を表す。実線および破線のプロット線は双方とも、図１９では互いに実質的に重なり合い、アダプター２２によって測定された圧力が、組織部位の実際の圧力を正確に表していることを示す。
【００７８】
少なくとも１つのポート延長部３７の使用は、アダプター２２によって測定された圧力の精度に寄与し得る。例えば、ポート延長部３７での圧力サンプリングは、組織部位の表面と接触しているかまたはそのごく近くにあるように適合されるポート延長部３７の遠位端部４５で行われる。組織部位と接触してまたはそのごく近くに位置決めされるポート延長部３７の遠位端部４５による圧力のサンプリングは、例えば、圧力低下または他の損失に起因して発生し得る圧力測定の変動を最小限にし得る。さらに、ポート延長部３７の使用は、点滴注入流体の有効利用および点滴注入流体による組織部位の洗浄の向上に関して追加的な利益をもたらす。例えば、組織部位と接触してまたはそのごく近くに位置決めされたポート延長部３７の遠位端部４５を通した点滴注入流体の送給は、システムの他の部分、例えば、ドレッシングおよび分配マニホールドなどへの点滴注入流体の損失を最小限にし得る。それゆえ、例えば、点滴注入流体が組織部位の表面に到達できる前に、分配マニホールドを飽和させたりまたは創傷ドレッシングを充填したりする必要なく、ポート延長部３７は、組織部位の表面に点滴注入流体を直接送給できるようにし得る。
【００７９】
図２０を参照して説明すると、分配マニホールドの組織対面側面で測定された圧力のプロットと比較した、図１１に示す単一のポート延長部３７を含むアダプター２２の実施形態によって分配マニホールドの外側対面側面で測定された圧力のグラフィカルプロットとして、試験結果を示す。図２０では、実線のプロット線は、分配マニホールドの外側対面側面においてまたはその上において終端または存在するように適合され得る図１１に示すアダプター２２の第２の付属ポート５８などを通して、分配マニホールドの外側対面側面で測定された圧力を表す。図２０の破線のプロット線は、アダプター２２、および分配マニホールドの組織対面側面におよび組織部位と接触してまたはそのごく近くに位置決めされ得るポート延長部３７の遠位端部４５を通して測定された圧力を表し、上述の通り、組織部位での実際の圧力を正確に表し得る。図２０は、実線のプロット線と破線のプロット線との間に約７ｍｍ  Ｈｇの平均圧力差を示し、外側対面側面と組織対面側面との間の分配マニホールドの厚さを横切ると、圧力低下または損失が存在することを示す。組織部位から分配マニホールドへの流体および微粒子の曝露が、時間と共に発生するため、圧力低下および損失の増加が発生し得、分配マニホールドの推定耐用年数（ｌｉｆｅ  ｅｘｐｅｃｔａｎｃｙ）を短縮する。それゆえ、分配マニホールドの推定耐用年数は、分配マニホールドの外側対面側面で測定された圧力を分配マニホールドの組織対面側面で測定された圧力と比較することによって、決定され得る。
【００８０】
全体的に図面を参照すると、本開示は、点滴注入療法および減圧療法と一緒に使用するのに好適とし得る方法を提供する。いくつかの説明に役立つ実施形態では、組織部位を治療するための分配マニホールドの耐用年数を評価する方法は、組織部位２５の表面に分配マニホールド２４を位置決めすることを含み得る。さらに、方法は、図１１に示すようなポート延長部３７を含むアダプター２２を、例えば、分配マニホールド２４上に位置決めすることを含み得る。そのような実施形態では、ポート延長部３７の遠位端部４５は、入口面５５から分配マニホールド２４の組織対面側面６１に向かって外向きに延在し、および第２の付属ポート５８は、分配マニホールド２４の外側対面側面６３において入口面５５で終端し得る。
【００８１】
さらに、方法は、ポート延長部３７の遠位端部４５を分配マニホールド２４に挿入することと、アダプター２２の主ポート６０を通して分配マニホールド２４に減圧を適用することとを含み得る。さらに、方法は、第１の付属ポート５６、およびポート延長部３７の遠位端部４５を通して、組織部位２５の表面と分配マニホールド２４の組織対面側面６１との間の第１の圧力を測定することを含み得る。さらに、方法は、第２の付属ポート５８を通して分配マニホールド２４の外側対面側面６３における第２の圧力を測定することを含み得る。さらに、方法は、差圧を提供するために、第１の圧力と第２の圧力との差を計算することを含み得る。
【００８２】
いくつかの実施形態では、方法は、差圧が約１５ｍｍ  Ｈｇを上回る場合、分配マニホールド２４を変更または交換することを含み得る。さらに、いくつかの実施形態では、減圧を適用することは、分配マニホールド２４の外側対面側面６３に減圧を適用することを含み得る。さらに、いくつかの実施形態では、ポート延長部のボア４７は、ポート延長部３７の遠位端部４５と第１の付属ポート５６との間に、隔離された連通路を画成し得る。さらに、いくつかの実施形態では、分配マニホールド２４に減圧を適用することにより、分配マニホールド２４の外側対面側面６３を組織部位２５の表面の近くに動かして、ポート延長部３７の遠位端部４５が組織部位２５の表面に接触するようにし得る。さらに、いくつかの実施形態では、方法は、分配マニホールド２４の外側対面側面６３をドレープ２６で被覆して、ドレープ２６と組織部位２５との間に密閉空間をもたらすことを含み得る。分配マニホールド２４は、密閉空間に位置決めされ得る。
【００８３】
他の実施形態では、組織部位を治療するための分配マニホールドの耐用年数を評価する方法は、分配マニホールド２４を組織部位２５の表面に位置決めすることを含み得る。さらに、方法は、分配マニホールド２４の外側対面側面６３に減圧を適用することを含み得る。さらに、方法は、組織部位２５の表面と分配マニホールド２４の組織対面側面６１との間の第１の圧力を測定することを含み得る。さらに、方法は、分配マニホールド２４の外側対面側面６３における第２の圧力を測定することを含み得る。さらに、方法は、差圧を提供するために、第１の圧力と第２の圧力との差を計算することを含み得る。
【００８４】
いくつかの説明に役立つ実施形態では、組織部位における圧力を測定しかつ制御する方法は、組織部位２５の表面に隣接して分配マニホールド２４を位置決めすることを含み得る。分配マニホールド２４は、組織部位２５に対面する組織対面側面６１と、組織対面側面６１に対向する外側対面側面６３とを含み得る。さらに、方法は、分配マニホールド２４に隣接してアダプター２２を位置決めすることを含み得る。そのような実施形態では、図１０に示すように、アダプター２２は、第１の付属ポート５６、第２の付属ポート５８、第１のポート延長部３７ａ、および第２のポート延長部３７ｂを含み得る。
【００８５】
さらに、方法は、第１のポート延長部３７ａの遠位端部４５および第２のポート延長部３７ｂの遠位端部４５を分配マニホールド２４に挿入することを含み得る。さらに、方法は、減圧源３８からの減圧を、主ポート６０を通して分配マニホールド２４に適用することを含み得る。さらに、方法は、第１のポート延長部３７ａを通して、分配マニホールド２４の組織対面側面６１と組織部位２５の表面との間の第１の圧力を測定することを含み得る。さらに、方法は、第２のポート延長部３７ｂを通して、分配マニホールド２４の組織対面側面６１と組織部位２５の表面との間の第２の圧力を測定することを含み得る。さらに、方法は、第１の圧力および第２の圧力に従って、減圧源３８からの減圧を制御することを含み得る。
【００８６】
他の実施形態では、組織部位における圧力を測定しかつ制御する方法は、組織部位２５の表面に隣接して分配マニホールド２４を位置決めすることを含み得る。分配マニホールド２４は、組織部位２５に対面する組織対面側面６１と、組織対面側面６１に対向する外側対面側面６３とを含み得る。さらに、方法は、減圧源３８からの減圧を分配マニホールド２４に適用することを含み得る。いくつかの実施形態では、減圧を適用することは、分配マニホールド２４の外側対面側面６３に減圧を適用することを含み得る。さらに、方法は、組織部位２５の表面と分配マニホールド２４の組織対面側面６１との間の第１の圧力を測定することを含み得る。さらに、方法は、組織部位２５の表面と分配マニホールド２４の組織対面側面６１との間の第２の圧力を測定することを含み得る。さらに、方法は、第１の圧力および第２の圧力に従って、減圧源３８からの減圧を制御することを含み得る。さらに、いくつかの実施形態では、方法は、第１の圧力が、減圧源３８における減圧の変化に応答する、第１の期間を決定することと；第２の圧力が、減圧源３８における減圧の変化に応答する、第２の期間を決定することと；第１の期間が第２の期間よりも短い場合には、第１の期間に従って減圧を制御することと；第２の期間が第１の期間よりも短い場合には、第２の期間に従って減圧を制御することとを含み得る。
【００８７】
いくつかの説明に役立つ実施形態では、組織部位において流体を点滴注入する方法は、組織部位２５の表面に隣接して分配マニホールド２４を位置決めすることを含み得る。分配マニホールド２４は、組織部位２５に対面する組織対面側面６１と、組織対面側面６１に対向する外側対面側面６３とを含み得る。さらに、方法は、分配マニホールド２４に隣接してアダプター２２を位置決めすることを含み得る。そのような実施形態では、アダプター２２は、図１０〜１１に示すように、付属ポート５６、５８の少なくとも一方、および少なくとも１つのポート延長部３７を含み得る。さらに、方法は、ポート延長部３７の遠位端部４５を分配マニホールド２４に挿入し、およびポート延長部３７の遠位端部４５を通して組織部位２５の表面に流体を送給することを含み得る。
【００８８】
いくつかの実施形態では、流体を点滴注入する方法は、例えば、アダプター２２の主ポート６０を通して、分配マニホールド２４の外側対面側面６３に減圧を送給することを含み得る。さらに、いくつかの実施形態では、流体を点滴注入する方法は、組織部位２５の表面と分配マニホールド２４の組織対面側面６１との間の圧力を測定することと、圧力に従って減圧の送給を制御することとを含み得る。
【００８９】
他の実施形態では、組織部位において流体を点滴注入する方法は、組織部位２５の表面に隣接して分配マニホールド２４を位置決めすることを含み得る。分配マニホールド２４は、組織部位２５に対面する組織対面側面６１と、組織対面側面６１に対向する外側対面側面６３とを含み得る。さらに、方法は、組織部位２５の表面と分配マニホールド２４の組織対面側面６１との間に直接流体を送給することを含み得る。
【００９０】
いくつかの説明に役立つ実施形態を示すが、当業者は、本明細書で説明するシステム、装置、および方法は、様々な変更および修正を受けることを認識する。さらに、「または」などの用語を使用する様々な代替形態の説明は、文脈によって明白に必要とされない限り、相互排他性を必要とせず、および不定冠詞「ａ」または「ａｎ」は、文脈によって明白に必要とされない限り、対象を単一の例に限定しない。構成要素はまた、例えば、販売、製造、組み立て、または使用のために、様々な構成において組み合わせられてもまたは削除されてもよい。さらに、一実施形態に関連して開示した構成要素は、別の実施形態に関連して使用され得る。
【００９１】
添付の特許請求の範囲は、上述の主題の新規のかつ発明的な態様を説明するが、特許請求の範囲はまた、具体的に詳細は列挙されていない追加的な主題を含み得る。例えば、当業者に既に公知のものから、新規のかつ発明的な特徴を区別するために必要ではない場合、いくつかの特徴、要素、または態様は、特許請求の範囲から省略され得る。本明細書で説明する特徴、要素、および態様はまた、添付の特許請求の範囲によって定義されるような本開示の範囲から逸脱せずに、同じ、等価の、または同様の目的を果たす代替的な特徴と組み合わせられてもまたはそれによって置き換えられてもよい。
【図１】
2018519943.tif 000003
【図２】
2018519943.tif 000004
【図３】
2018519943.tif 000005
【図４】
2018519943.tif 000006
【図５】
2018519943.tif 000007
【図６】
2018519943.tif 000008
【図７】
2018519943.tif 000009
【図８】
2018519943.tif 000010
【図９】
2018519943.tif 000011
【図１０】
2018519943.tif 000012
【図１１】
2018519943.tif 000013
【図１２Ａ】
2018519943.tif 000014
【図１２Ｂ】
2018519943.tif 000015
【図１３Ａ】
2018519943.tif 000016
【図１３Ｂ】
2018519943.tif 000017
【図１４Ａ】
2018519943.tif 000018
【図１４Ｂ】
2018519943.tif 000019
【図１５】
2018519943.tif 000020
【図１６】
2018519943.tif 000021
【図１７】
2018519943.tif 000022
【図１８】
2018519943.tif 000023
【図１９】
2018519943.tif 000024
【図２０】
2018519943.tif 000025
【国際調査報告】
2018519943.tif 000026
2018519943.tif 000027
2018519943.tif 000028
2018519943.tif 000029